(57)【要約】  多層建築構造体（１）の構築方法であって、略垂直支持構造体（３）を規定するように、一連の垂直向き支柱（２）を離間して建てるステップと、床に対して略水平支持構造体（６）を規定するように、支柱に一連の水平向き支持梁（５）を離間して接続するステップとを含む構築方法。複数の組み立て式の軽量構造用パネル（１０）は、構造床を形成するように水平支持構造体上に実質的に連続して並べて設けられ、位置づけられ、固定される。
2015536391.tif 000002
【特許請求の範囲】
【請求項１】
建築物構築方法であって、
略垂直支持構造体を規定するように、一連の垂直向き支柱を離間して建てるステップと、
床に対して略水平支持構造体を規定するように、前記支柱に一連の水平向き支持梁を離間して接続するステップと、
複数の組み立て式の構造用パネルを設けるステップと、
構造床を形成するように、前記水平支持構造体に前記構造用パネルを実質的に連続に並べて配置するステップと、
を含む建築物構築方法。
【請求項２】
前記構造用パネルは、比較的軽量の低密度コンクリート材料から形成される、請求項１に記載の建築物構築方法。
【請求項３】
前記構造用パネルは、オートクレーブ養生気泡コンクリート（ＡＡＣ）材料から実質的に形成される、請求項１または２に記載の建築物構築方法。
【請求項４】
前記構造用パネルは、複数の内部補強要素を含み、前記内部補強要素のうちの少なくともいくつかは、略ね長手方向に延伸する、請求項１から３のいずれか一項に記載の建築物構築方法。
【請求項５】
隣り合う構造用パネル対のそれぞれの隣接するエッジ間に規定されたそれぞれの隙間空間に、適合性のあるセメント質材料を充填することで、前記構造床上に実質的に連続した上面を形成するステップをさらに含む、請求項１から４のいずれか一項に記載の建築物構築方法。
【請求項６】
前記建築物は、多層建築物であり、前記垂直支持構造体は、地面上方の複数階にわたって延伸する、請求項１から５のいずれか一項に記載の建築物構築方法。
【請求項７】
前記支柱は、少なくとも主に鋼部分から形成され、前記方法は、ボルト締め、ブラケットまたは溶接によって前記鋼部分を固定するステップを含む、請求項１から６のいずれか一項に記載の建築物構築方法。
【請求項８】
前記支持構造体の部品として現場で設置するように適応された組み立て式の構造用サブアセンブリを形成するように、複数の前記鋼部分を現場外で固定するステップを含む、請求項７に記載の建築物構築方法。
【請求項９】
前記構造用パネルは、略矩形状に形成され、前記水平支持梁は、支持されるべき前記構造用パネルの向き、サイズおよび強度と相補的である向きおよび間隔で、離間して略ね平行に設置される、請求項１から８のいずれか一項に記載の建築物構築方法。
【請求項１０】
前記構造用パネルは、相補的または部分的に相補的なエッジ側面形状をもつように形成される、請求項１から９のいずれか一項に記載の建築物構築方法。
【請求項１１】
前記構造用パネルの隣接する対の前記隣り合うエッジ側面形状は、当接係合して各々の溝を規定するようになっていて、前記溝のそれぞれは、対応する対の隣り合う構造用パネル間で長手方向に延伸する、請求項１０に記載の建築物構築方法。いくつかの実施形態において、溝は、上向きに収束する側壁によって規定されてもよい。
【請求項１２】
前記溝は、略ねＶ字状または略ねＵ字状の形状で上向きに広がっていく、請求項１１に記載の建築物構築方法。
【請求項１３】
前記溝のそれぞれに細長い鉄筋を長手方向に配置し、続いて前記溝にセメント質材料を充填することで、中間接合部を補強するとともに、前記隣り合う構造用パネル間に延伸する実質的に連続した上面を形成するステップをさらに含む、請求項１１または１２に記載の建築物構築方法。
【請求項１４】
前記構造用パネルを前記支持梁に現場で固定するステップをさらに含む、請求項１から１３のいずれか一項に記載の建築物構築方法。
【請求項１５】
前記構造支柱の２つ以上の間に延伸する、または前記構造支柱の２つ以上に隣接して延伸する１つ以上の壁部分を形成するように、略ね垂直向きに複数の前記構造用パネルを実質的に連続してエッジ同士を隣り合わせて配置するステップをさらに含む、請求項１から１４のいずれか一項に記載の建築物構築方法。
【請求項１６】
前記床部分または壁部分の露出面に、封止材、被膜材または被覆材の少なくとも１つの層を適用するステップをさらに含む、請求項１から１５のいずれか一項に記載の建築物構築方法。
【請求項１７】
前記構造用パネルの正面または上面から背面または下面に延伸する少なくとも１つの吊り上げ孔を含むように前記構造用パネルを形成するステップを含む、請求項１から１６のいずれか一項に記載の建築物構築方法。
【請求項１８】
前記吊り上げ孔は、前記建築構造体の選択された階層に前記構造用パネルをクレーンで吊り上げやすいように、吊り上げアイを取り外し可能に受けるようになっている、請求項１７に記載の建築物構築方法。
【請求項１９】
複数の前記構造用パネルはそれぞれ、単一の中心配置吊り上げ孔を含む、請求項１７または１８に記載の建築物構築方法。
【請求項２０】
複数の前記構造用パネルのそれぞれは、前記構造用パネルの中心線に沿って略ね対称に配置された一対の離間した吊り上げ孔を含む、請求項１７から１９のいずれか一項に記載の建築物構築方法。
【請求項２１】
請求項１から２０のいずれか一項に記載の建築物構築方法により実質的に形成された建築構造体であって、
略垂直支持構造体を規定するように離間して配置された一連の垂直向き支柱と、
床に対する略水平支持構造体を規定するように、離間して前記支柱に接続された一連の水平向き支持梁と、
構造床を形成するように、前記水平支持構造体に連続に並べて配置された複数の組み立て式の構造用パネルと、
を含む建築構造体。
【請求項２２】
複数の前記組み立て式の構造用パネルは、壁を形成するように前記支持構造体に連続に並べて配置される、請求項２１に記載の方法。
【請求項２３】
略垂直支持構造体を規定するように離間して設けられた一連の垂直向き支柱と、上階床に対して略水平支持構造体を規定するように、離間して前記支柱に接続された一連の水平向き支持梁とを含む多層建築構造体に床部分または壁部分を設置する方法であって、
複数の組み立て式の構造用パネルを設けるステップと、
前記構造用パネルのそれぞれの第１の面から第２の面へ延伸する少なくとも１つの吊り上げ孔を設けるステップと、
一対の吊り上げ形成物の一方が前記第１の面からアクセス可能であり、前記一対の吊り上げ形成物の他方が前記第２の面からアクセス可能であり、その上前記一対の吊り上げ形成物が、前記それぞれの吊り上げ孔を貫通して延伸する負荷支持接続要素を介して直接的に相互接続されるように、前記一対の吊り上げ形成物を組み込んだ吊り上げ取り付け具を前記構造用パネルのそれぞれに取り外し可能に固定するステップと、
複数の中間リンク要素を用いて、複数の前記構造用パネルを連なりとして取り外し可能に相互接続することで、前記連なりの各構造用パネルの前記第２の面にある前記吊り上げ形成物が、前記リンク要素の各々の１つによって前記連なりの次の構造用パネルの前記第１の面にある前記吊り上げ形成物につなげられるステップと、
１つ目の前記構造用パネルの前記第１の面にある前記吊り上げ形成物によって、前記連なりの前記１つ目の構造用パネルをクレーンフックに接続するステップと、
前記クレーンフックによって前記１つ目の構造用パネルを揚重することで、前記連なりの前記相互接続された後続の構造用パネルを、床または壁の要求された階層に略相当する高さまで揚重することによって、前記連なりの前記構造用パネルのすべてが、１回の吊り上げ作業で前記要求された階層まで実質的に同時に上昇されるステップと、
前記連なりの前記構造用パネルから前記吊り上げ形成物および前記リンク要素を取り外すステップと、
前記上階床または壁の対応する部分を規定するように、前記構造用パネルを前記支持構造体に連続に並べて配置するステップと、
前記床または壁を完成させるために、必要に応じて上記プロセスのステップを繰り返すステップと、
を含む設置方法。
【請求項２４】
前記組み立て式の構造用パネルは、補強されたオートクレーブ養生気泡コンクリート（ＡＡＣ）から形成される、請求項２３に記載の設置方法。
【請求項２５】
前記吊り上げ形成物のそれぞれは、吊り上げアイを含み、各吊り上げ取り付け具は、軸部を含み、前記軸部は、設置状態において、前記構造用パネルの前記吊り上げ孔を貫通して延伸することで、前記対応する吊り上げアイに接続されるようになっている、請求項２３または２４に記載の設置方法。
【請求項２６】
前記吊り上げ形成物は、一体成形吊り上げアイ付きのヘッドを有するアイボルトと、一体成形吊り上げアイを組み込んだ相補的なアイナットとを含み、前記アイボルトの前記軸部が、使用時において、前記構造用パネルの反対側にある前記アイナットと取り外し可能に係合するために、前記構造用パネルにある前記吊り上げ孔を貫通して延伸するようになっている、請求項２５に記載の設置方法。
【請求項２７】
前記吊り上げ取り付け具は、前記アイボルトの前記軸部を収容するように適応された取り付け孔が設けられたベースプレートをさらに含み、前記ベースプレートは、前記アイボルトまたは前記アイナットのいずれかと、前記関連する構造用パネルの外面と、の間に配置され、これゆえに、前記構造用パネルの前記吊り上げ孔の周りにおける負荷の分散および応力集中の抑制を図るようになっている、請求項２６に記載の設置方法。
【請求項２８】
前記ベースプレートは、前記アイボルトまたは前記アイナットと一体形成される、または固定して取り付けられる、請求項２７に記載の設置方法。
【請求項２９】
前記リンク要素のそれぞれは、各端部にフックを備えた１つ以上の所定の長さのチェーン、ケーブル、ロープまたはバーを含み、前記フックは、使用時において、隣接する構造用パネルの、それぞれ相互に対向する吊り上げアイと、取り外し可能に係合するようになっている、請求項２３から２８のいずれか一項に記載の設置方法。
【請求項３０】
複数の前記構造用パネルのそれぞれは、複数の吊り上げ孔と、対応する複数の前記吊り上げ取り付け具とを含む、請求項２３から２９のいずれか一項に記載の設置方法。
【請求項３１】
前記複数の吊り上げ孔は、前記構造用パネルのそれぞれの中心線または重心に対して実質的に均一に分散配置されることで、前記連なりの前記構造用パネルのすべてを安定して同時に吊り上げることを容易にする、請求項３０に記載の設置方法。
【請求項３２】
請求項１から３１のいずれか一項に記載の方法または建築構造体での使用に適応された組み立て式の構造建築用パネルであって、一体となる前記構造建築用パネルは、比較的軽量のセメント質材料から実質的に形成され、前記構造建築用パネルの第１の面から第２の面へ延伸する少なくとも１つの吊り上げ孔を含む、組み立て式の構造建築用パネル。
【請求項３３】
略ね矩形状の角柱形であり、実質的に、補強されたオートクレーブ養生気泡コンクリート（ＡＡＣ）から形成される、請求項３２に記載の組み立て式の構造建築用パネル。
【請求項３４】
略垂直支持構造体を規定するように離間して設けられた一連の垂直向き支柱を含む多層建築物の壁部分を設置する方法であって、
複数の組み立て式の構造用パネルを設け、前記構造用パネルのそれぞれは、吊り上げ形成物を含み、前記吊り上げ形成物により前記構造用パネルの吊り上げが可能になるステップと、
前記壁部分の目的位置の略上方に実質的に水平向きにレール形成物を前記支持構造体に取り外し可能に取り付けるステップと、
パネル係合機構およびレール横断機構を組み込んだクレーンキャリッジアセンブリを設けるステップと、
前記レール横断機構によって前記レール形成物に前記クレーンキャリッジアセンブリを取り外し可能に取り付けることで、前記キャリッジアセンブリがレールを横断するように堅固に適応されるステップと、
前記キャリッジアセンブリの前記パネル係合機構と前記構造用パネルの前記吊り上げ形成物とを取り外し可能に接続することで、前記レール形成物から前記構造用パネルが吊り下げられるステップと、
前記壁部分の目的位置に隣接して前記吊り下げられた構造用パネルを位置合わせするように前記レールに沿って前記キャリッジアセンブリを移動させるステップと、
前記壁部分に前記構造用パネルを位置合わせし固定するステップと、
前記パネル係合機構を取り外すステップと、
次のパネルを連続に並べて配置し、前記建築物の前記壁部分を形成するように、前記ステップを繰り返すステップと、
を含む設置方法。
【請求項３５】
前記構造用パネルは、略ね矩形状の角柱形であり、実質的に、補強されたオートクレーブ養生気泡コンクリート（ＡＡＣ）から形成される、請求項３４に記載の設置方法。
【請求項３６】
前記レール形成物は、一連の離間した取り外し可能な接続ブラケットによって取り付けられ、前記接続ブラケットのそれぞれは、使用時において、各々の支柱から前記レール形成物の対応する位置まで延伸する、請求項３４または３５に記載の設置方法。
【請求項３７】
前記吊り上げ形成物は、前記構造用パネルのそれぞれの正面から背面へ延伸する少なくとも１つの吊り上げ孔を含む、請求項３４に記載の設置方法。
【請求項３８】
前記吊り上げ形成物は、一体成形吊り上げアイ付きのヘッドを有するアイボルトをさらに含み、前記アイボルトは、前記アイボルトの軸部が、前記構造用パネルの反対側にある相補的なナットと取り外し可能に係合するために前記吊り上げ孔を貫通して延伸するようになっている、請求項３７に記載の設置方法。
【請求項３９】
前記キャリッジアセンブリの前記パネル係合機構は、前記構造用パネルの前記吊り上げアイと取り外し可能に係合するように適応されたフック形成物で終端するワイヤロープ、ケーブルまたはチェーンを含む、請求項３８に記載の設置方法。
【請求項４０】
前記レール形成物は、水平方向に向けられた上側および下側フランジと、垂直方向に向けられた相互接続ウェブとを備えるＩ型梁の形態のものである、請求項３４に記載の設置方法。
【請求項４１】
前記キャリッジアセンブリは、前記Ｉ型梁の前記下側フランジと転動係合するように適応されたガイドホイールを組み込むレール横断機構を含む、請求項４０に記載の設置方法。
【請求項４２】
前記キャリッジアセンブリは、前記レール上で前記キャリッジを駆動させるようになっている第１の駆動機構と、前記係合機構を介して前記吊り下げられた構造用パネルを徐々に上昇および下降させるようになっている第２の駆動機構と、を組み込んで動力化される、請求項４１に記載の設置方法。
【請求項４３】
前記第２の駆動機構は、ウインチに接続され、前記ウインチは、前記構造用パネルに接続されたワイヤロープを制御し、吊り上げ中に前記構造用パネルの高さを調整するようになっている、請求項４２に記載の設置方法。
【請求項４４】
複数の中間リンク要素を用いて、複数の前記構造用パネルを連なりとして取り外し可能に相互接続するステップと、
前記キャリッジの前記パネル係合機構および１つ目の前記構造用パネルの前記吊り上げ形成物によって、前記連なりの前記１つ目の構造用パネルを前記キャリッジアセンブリに接続するステップと、
前記キャリッジの駆動機構によって前記１つ目の構造用パネルを吊り上げ、前記連なりの後続の相互接続されたパネルを最下層のパネルの要求高さまで揚重するステップと、
前記最下層のパネルを位置合わせし、固定し、さらには取り外すステップと、
前記建築物の対応する壁部分または小部分を形成するように駆動機構を用いて、前記連なりの後続のパネルを連続して位置合わせし、固定し、さらには取り外すステップと、
をさらに含む、請求項３４に記載の設置方法。
【請求項４５】
略垂直支持構造体を規定するように離間して設けられた一連の垂直向き支柱と、上階床に対して略水平支持構造体を規定するように、離間して前記支柱に接続された一連の水平向き支持梁とを含む、多層建築構造体に床部分または壁部分を設置する方法であって、
複数の組み立て式の構造用パネルを設けるステップと、
前記構造用パネルのそれぞれの第１の面から第２の面へ延伸する少なくとも１つの吊り上げ孔を設けるステップと、
一対の吊り上げ形成物の一方が前記第１の面からアクセス可能であり、前記一対の吊り上げ形成物の他方が前記第２の面からアクセス可能であり、さらには前記一対の吊り上げ形成物が、前記それぞれの吊り上げ孔を貫通して延伸する負荷支持接続要素によって直接的に相互接続されるように、前記一対の吊り上げ形成物を組み込んだ吊り上げ取り付け具を前記構造用パネルのそれぞれに取り外し可能に固定するステップと、
複数の中間リンク要素を用いて、複数の前記構造用パネルを連なりとして取り外し可能に相互接続することで、前記連なりの各構造用パネルの前記第２の面にある前記吊り上げ形成物が、前記リンク要素のそれぞれによって前記連なりの次の構造用パネルの前記第１の面にある前記吊り上げ形成物につなげられるステップと、
１つ目の前記構造用パネルの前記第１の面にある前記吊り上げ形成物によって、前記連なりの前記１つ目の構造用パネルをクレーンフックに接続するステップと、
前記クレーンフックによって前記１つ目の構造用パネルを揚重することで、前記連なりの前記相互接続された後続の構造用パネルを、床または壁の要求された階層に略相当する高さまで揚重することによって、前記連なりの前記構造用パネルのすべてが、１回の吊り上げ作業で前記要求された階層まで実質的に同時に上昇されるステップと、
前記連なりの前記構造用パネルから前記吊り上げ形成物および前記リンク要素を取り外すステップと、
前記上階床または壁の対応する部分を規定するように、前記支持構造体に連続に並べて前記構造用パネルを位置合わせするステップと、
前記床または壁を完成させるために、必要に応じて上記過程のステップを繰り返すステップと、
を含む設置方法。
【請求項４６】
略垂直支持構造体を規定するように離間して設けられた一連の垂直向き支柱を含む多層建築物の壁部分を設置する方法であって、
複数の組み立て式の構造用パネルを設け、前記構造用パネルのそれぞれは、吊り上げ形成物を含み、前記吊り上げ形成物により前記構造用パネルの吊り上げが可能になるステップと、
前記壁部分の目的位置の概ね上方に実質的に水平向きにレール形成物を前記支持構造体に取り外し可能に取り付けるステップと、
パネル係合機構およびレール横断機構を組み込んだクレーンキャリッジアセンブリを設けるステップと、
前記レール横断機構によって前記レール形成物に前記クレーンキャリッジアセンブリを取り外し可能に取り付けることで、前記キャリッジアセンブリが前記レールを横断するように堅固に適応されるステップと、
前記キャリッジアセンブリの前記パネル係合機構と前記構造用パネルの前記吊り上げ形成物とを取り外し可能に接続することで、前記レール形成物から前記構造用パネルが吊り下げられるステップと、
前記壁部分の目的位置に隣接して前記吊り下げられた構造用パネルを位置合わせするように前記レールに沿って前記キャリッジアセンブリを移動させるステップと、
前記壁部分に前記構造用パネルを位置合わせし固定するステップと、
前記パネル係合機構を取り外すステップと、
次のパネルを連続に並べて位置づけ、前記建築物の前記壁部分を形成するように、前記ステップを繰り返すステップと、
を含む設置方法。
【請求項４７】
請求項４６に記載の設置方法により建築物に対して組み立て式の構造用壁または床パネルを位置合わせすることを補助すべく、支持レール形成物で使用するために適応されたクレーンキャリッジアセンブリであって、選択された壁または床パネルと取り外し可能に係合することで、前記クレーンキャリッジアセンブリから前記パネルを吊り下げるようになっているパネル係合機構と、構築される壁部分または床部分の目的位置に隣接して前記吊り下げられたパネルを位置合わせするように前記レール形成物に沿って前記クレーンキャリッジアセンブリを移動可能なレール横断機構と、前記レール形成物上で前記キャリッジを移動させるようになっている第１の駆動機構と、使用時において、前記パネル係合機構を介して前記吊り下げられたパネルを徐々に上昇または下降させるように適応された第２の駆動機構と、遠隔操作者によって前記第１および第２の駆動機構を制御可能な遠隔制御機構とをさらに含むクレーンキャリッジアセンブリ。
【請求項４８】
組み立て式の支柱と、組み立て式の支持梁と、組み立て式の構造用パネルとを含み、キット関連の指示書に従って所定の構成で組み立てられると建築構造体を形成するように適応された相補的なコンポーネント部品の予めパッケージングされたキットであって、前記組立プロセスは、実質的に、請求項１から４６のいずれか一項に記載の方法に従ったものであるキット。
【請求項４９】
請求項４６に記載の方法での使用に適応された組み立て式の構造用パネルであって、前記構造用パネルは、建築物の支持フレーム要素間に構造床または構造壁を形成するために、複数の同様のパネルを連続に並べて支持されるようにさらになっていて、前記構造用パネルのそれぞれは、一方の面から反対の面まで前記構造用パネルを貫通して延伸する少なくとも１つの予め形成された吊り上げ孔を含み、前記吊り上げ孔により、吊り上げ形成物が前記構造用パネルを確実にクレーン吊り上げでき、前記吊り上げ孔のそれぞれによって複数のパネルを連なりとして連結して、前記連なりの前記複数のパネルを同時に吊り上げることができる組み立て式の構造用パネル。
【発明の詳細な説明】
【技術分野】
【０００１】
本発明は、一般に、建築構造体に関し、特に、多層建築構造体の方法、システムおよびコンポーネントに関する。
【０００２】
本発明は、主に、居住用高層マンション、小売店舗複合施設、ホテルなどに関連して使用されるために開発されたものであり、本発明は、以下、このような用途について主に記載される。しかしながら、本発明は、このような特定の使用分野に限定されるものではなく、例えば、高層オフィスビル、学校、病院、セキュリティ複合施設、および工場や格納庫や倉庫などの他の形態の商業工業複合施設を含む広範囲にわたるさまざまな種類の建築物、ならびに橋、タワー、トンネル、歩道橋、空港基盤施設および他の土木工事開発された施設に適用可能なものであることを認識されたい。また、本発明は、特に、高層の建造物に良好に適応されるが、一層の構造体に適用されてもよいことを理解されたい。
【背景技術】
【０００３】
先行技術の以下の記載は、本発明を適切な技術背景に照らし合わせ、本発明の利点を十分に理解できるようにするためのものである。しかしながら、先行技術の参照は、このような先行技術が広く知られているものであり、または関連分野における共通の一般知識をなすものであるということを表すもの、またはそのような認識を促すものとして解釈されるべきではない。
【０００４】
現代の土木工学において、マンション複合施設、ホテル、商業オフィスビルなどとして使用するための高層ビルを建造するために、さまざまな技術が現在使用されている。このような技術では、通常、基礎掘削および適切な構造基盤の整備が済んだ後に建築物を一層ずつ組み立てる工法をとっている。一般に、建築物の構造は、構造負荷を基礎部分に伝えるように構成された垂直支持構造体周りを基礎にしている。これらの垂直支持構造体は、典型的には、鉄骨柱、梁もしくはトラスから、または鉄筋コンクリートから形成される。近年、地上から垂直方向に本質的に片持ち式の概して管形状を有し、階層ごとに現場で鉄筋コンクリートを打設して形成される構造コアの利用の普及が進んでいる。コンクリートの床および外壁は、管状の構造コアから効率的に吊るされる。設計によっては、壁や壁の一部が、主要な垂直支持構造体の一体化要素をなす場合もある。
【０００５】
従来では、垂直支持構造体の特定の形状および組成にかかわらず、現場で打設される鉄筋コンクリートで建築物の各層となる床を構築していた。これらのコンクリート床の製造工程は、特定仕様の複合構成の型枠および型枠に付随する支柱の組立ておよび設置、鉄筋の体系的設置ならびに引き続き行う各型枠部分へのコンクリートの圧送を含む。そして、コンクリートの表面をならして平らにし、自立するまで硬化させる必要がある。そして、型枠および仮の支柱を取り除き、その後、次の階層を順次建造し、建築物の主構造体が完成するまで繰り返す必要がある。建築物によっては、内壁部分および／または外壁部分も同様の方法で一層ずつ鉄筋コンクリートを現場で打設して形成される場合もある。
【発明の概要】
【発明が解決しようとする課題】
【０００６】
このような建築技術は比較的効率的で高信頼性のものであるとされてきたが、この技術には重大かつ固有の欠点が多くある。第一に、非常に大きな労働力を要する工程を現場で進めるために、数多くのさまざま業者が必要とされる。これらの工程には、現場の適切な場所への型枠および仮の支柱の持ち上げ、型枠の建込み、鉄筋の接地、コンクリートの圧送および流し込み、湿った混合材のならしおよびレベリング、ならびに引き続き、コンクリートの硬化後の型枠外しおよび取り除きの工程がある。また、必要に応じて、コンクリート床版または床部分を通して建築物の設備用のアクセスを設ける業者がさらに必要となる。さらに、多層階の開発では、必要な高度に湿潤コンクリート混合材を送るために、高性能で高価な高圧コンクリートポンプ設備が必要になる。このような業者や設備の手配はすべて、複雑なプロジェクト管理運用の一環として、重要な計画的進行に沿って現場において順を追って注意深く行われる必要がある。
【０００７】
労働集約度、人件費および計画の複雑化の他に、工程全体にも本質的に遅れが生じる。この要因は、関わる業者がそれぞれ別々で、またその数が比較的多いためである。より重要な点は、多くの場合、各区画においてコンクリートが十分に硬化して固まった後でなければ、そのコンクリートの型枠および仮支柱を取り外して、次の階層の作業を始めることができないということである。これにより、同じクリティカルパスで中心となる工程数が多くなるため、各階層間で最大数週間の遅延が生じてしまい、プロジェクト全体の進度に制限がかかってしまう。中層から高層の開発環境では、このような工程に固有の遅延が累積すると、１つの建築プロジェクト当たり数百万ドルの経済的コストがかかる数ヶ月分の遅延が生じてしまう可能性もある。
【０００８】
本発明の目的は、本発明の１つ以上のさまざまな態様において、先行技術の１つ以上の欠点を解消または実質的に改善し、または有用な別の解決策を少なくとも提供することである。
【課題を解決するための手段】
【０００９】
以上のことから、第１の態様において、本発明により、建築物構築方法であって、
略垂直支持構造体を規定するように、一連の垂直向き支柱を離間して建てるステップと、
床に対して略水平支持構造体を規定するように、前記支柱に一連の水平向き支持梁を離間して接続するステップと、
複数の組み立て式の構造用パネルを設けるステップと、
構造床を形成するように、水平支持構造体に前記構造用パネルを実質的に連続して並べて位置づけるステップと、
を含む建築物構築方法が提供される。
【００１０】
本明細書において、「建築物（ｂｕｉｌｄｉｎｇ）」、「複数の建築物（ｂｕｉｌｄｉｎｇｓ）」などの用語は、意図した目的や一層または多層構造であるかにかかわらず、任意の形態の建築物または土木工事構造体を事実上含むものとして広義に解釈されることが意図されていることを理解されたい。
【００１１】
好ましくは、組み立て式の構造用パネルは、補強されたオートクレーブ養生気泡コンクリート（ＡＡＣ）材料から形成される。
【００１２】
好ましくは、この方法は、隣り合う構造用パネル対のそれぞれの隣接するエッジ間に規定されたそれぞれの隙間空間に、適合性のあるセメント質材料を充填することで、構造床上に実質的に連続した上面を形成するステップをさらに含む。
【００１３】
好ましくは、建築物は多階層のものであり、垂直支持構造体は、地面の上方にて少なくとも一階層にわたって延伸する。いくつかの実施形態において、垂直支持構造体は、地面の上方にて複数階層にわたって延伸するが、これに追加して、またはこの代わりとして、地面の下方にて複数階層にわたって延伸してもよい。
【００１４】
いくつかの好ましい実施形態において、支柱は、少なくとも主に鋼から形成され、現場でボルト締め、溶接または他の方法で固定される複数の部分として、または組み立て式の構造サブアセンブリとして形成される。構造ＡＡＣパネルは、好ましくは、内部にて長手方向に延伸する鋼補強要素を含む。
【００１５】
いくつかの実施形態において、構造用パネルは、略矩形状の構成のものである。しかしながら、多種多様な他のパネル形状および構成が使用されてもよく、好ましくは、格子状の構成のものが使用されてもよいことを理解されたい。好ましくは、水平支持梁は、支持される構造用パネルの向き、サイズおよび強度と相補的な向きおよび間隔で、略平行に配置される。
【００１６】
いくつかの実施形態において、構造用パネルは、相補的または部分的に相補的なエッジ側面形状をもつように形成され、このようなエッジ側面形状は、任意に、対応して係合、隣接または連結するエッジ形成物を含む。一実施形態において、隣接するエッジ側面形状は、相補的な実継ぎ構造を規定する。
【００１７】
一実施形態において、エッジ側面形状は、隣接して並べて設けられた隣り合う構造用パネルの各対の間に長手方向に延伸する上向きに開口または上向きに広がる略Ｖ字状または略Ｕ字状の溝を規定するように適応される。いくつかの実施形態において、溝は、上向きに収束する側壁によって規定されてもよい。
【００１８】
この実施形態において、この方法は、好ましくは、細長い鉄筋を溝の長手方向に配置した後、溝にセメント質材料を充填することにより、中間接合部を補強しながら、隣り合う構造用パネル間に延伸する実質的に連続した上面を形成するさらなるステップを含む。
【００１９】
いくつかの実施形態において、この方法は、構造用パネルを基礎となる支持梁に現場で固定するさらなるステップを含む。この固定ステップは、接着、ねじ留め、ボルト締め、釘打ちまたはブラケットや他の機械的留め具もしくは位置決め形態を含む１つ以上の固定技術を含むものであってもよい。
【００２０】
一実施形態において、オートクレーブ養生気泡コンクリート（ＡＡＣ）から形成された複数の構造用パネルは、エッジ同士を合わせて垂直方向に向けて並べて配置されて、構造支柱間または構造支柱に隣接して延伸する１つ以上の壁部分を形成する。
【００２１】
任意に、封止層、プライマ、スキムコート、レンダまたはそれらの組み合わせを床や壁の露出面全体に適用して、比較的一様な外観を与えたり、または必要に応じて施す場合がある特定の美的特性や性能特性を与えたりしてもよく、これらの特性には、例えば、さらなる封止や耐水性、さらなる防火性、塗装適性、音響設備または音響分散、表面把持性、色合い、質感などがある。意図した用途に応じて、他の適切な表面仕上げは、適宜、ポリマー改質の化粧仕上げまたは石膏仕上げ、天然石または人工石、Ｇｙｐｒｏｃｋ社製品を含む内装被覆材または外装被覆材、製材パネルまたは繊維セメント薄板材を含む。
【００２２】
好ましい実施形態において、この方法は、構造用パネルの正面または上面から背面または下面に延伸する少なくとも１つの吊り上げ孔を含むように構造用パネルを形成するステップを含む。吊り上げ孔は、好ましくは、建築構造体の適切な階層に構造用パネルをクレーンで吊り上げやすいように、吊り上げアイを取り外し可能に受けるように適応される。構造用パネルを貫通して延伸する吊り上げ孔の代わりとして、仮または永久の取り付け具のいずれかとして、構造用パネルの周囲または構造用パネルの１つ以上の面に吊り上げ形成物が固定されてもよい。
【００２３】
一実施形態において、各構造用パネルは、中心に位置する単一の吊り上げ孔を含む。他の実施形態において、各構造用パネルは、理想的には、構造用パネルの中心線または重心に対して略対称的に離間して設けられた吊り上げ孔を含む。いくつかの実施形態において、３つ、４つまたは５つ以上の吊り上げ孔が設けられてもよいが、すべての吊り上げ状況において、必ずしもそれらの孔のすべてを利用する必要はない。
【００２４】
本発明のこの態様の一変形例において、さらに、または代わりとして、組み立て式の構造用パネルは、水平支持構造体上に実質的に連続して並べて、好ましくは、垂直方向に位置づけられて、建築物の壁を形成する。このような壁の構築方法は、任意に、従来の床構築技術とともに、必要に応じて、その逆の組み合わせで利用されてもよい。
【００２５】
さらなる態様において、本発明により、上記に規定された方法により実質的に形成された建築構造体であって、
略垂直支持構造体を規定するように離間して設けられた一連の垂直向き支柱と、
床に対して略水平支持構造体を規定するように、離間して支柱に接続された一連の水平向き支持梁と、
構造床を形成するように、水平支持構造体に連続して並べて位置づけられた複数の組み立て式の構造用パネルとを含む建築構造体が提供される。
【００２６】
この態様の一変形例において、組み立て式の構造用パネルは、さらに、または代わりとして、壁を形成するように支持構造体に連続して並べて位置づけられる。
【００２７】
この場合も、構造用パネルは、好ましくは、オートクレーブ養生気泡コンクリート（ＡＡＣ）から形成される。好ましくは、隣り合う構造用パネルの隣接エッジ同士のそれぞれの間に規定された隙間空間に、適合性のあるセメント質材料を充填することで、構造床上に実質的に連続した上面を形成する。
【００２８】
好ましくは、建築物は多階層のものであり、垂直支持構造体は、実質的に鋼で形成され、地面の上方の少なくとも１階層にわたって、およびいくつかの実施形態において、地面の上方および／または下方の多階層にわたって延伸する。
【００２９】
さらなる態様において、本発明により、略垂直支持構造体を規定するように離間して設けられた一連の垂直向き支柱と、上階床に対して略水平支持構造体を規定するように、離間して支柱に接続された一連の水平向き支持梁とを含む、多層建築構造体に床部分または壁部分を設置する方法であって、
複数の組み立て式の構造用パネルを設けるステップと、
構造用パネルのそれぞれの第１の面から第２の面へ延伸する少なくとも１つの吊り上げ孔を設けるステップと、
一対の吊り上げ形成物の一方が第１の面からアクセス可能であり、一対の吊り上げ形成物の他方が第２の面からアクセス可能であり、および一対の吊り上げ形成物が、吊り上げ孔のそれぞれを貫通して延伸する負荷支持接続要素によって直接相互接続されるように、一対の吊り上げ形成物を組み込んだ吊り上げ取り付け具を構造用パネルのそれぞれに取り外し可能に固定するステップと、
複数の中間リンク要素を用いて、複数の構造用パネルを連なりとして取り外し可能に相互接続することで、連なりの各構造用パネルの第２の面にある吊り上げ形成物が、リンク要素のそれぞれによって連なりの次の構造用パネルの第１の面にある吊り上げ形成物につなげられるステップと、
１つ目の構造用パネルの第１の面の吊り上げ形成物によって、連なりの１つ目の構造用パネルをクレーンフックに接続するステップと、
クレーンフックによって１つ目の構造用パネルを揚重することで、連なりの相互接続された後続の構造用パネルを、床または壁の要求された階層に略相当する高さまで揚重することによって、連なりの構造用パネルのすべてが、１回の吊り上げ作業で要求された階層まで実質的に同時に上昇されるステップと、
連なりの構造用パネルから吊り上げ形成物およびリンク要素を取り外すステップと、
上階床または上階壁の対応する部分を規定するように、支持構造体に連続して並べて構造用パネルを位置づけるステップと、
床または壁を完成させるために、必要に応じて上記プロセスステップを繰り返すステップと、
を含む方法が提供される。
【００３０】
好ましくは、ここでも、組み立て式の構造用パネルは、鋼補強されたオートクレーブ養生気泡コンクリート（ＡＡＣ）から形成される。
【００３１】
一実施形態において、吊り上げ形成物のそれぞれは、略円形の吊り上げアイを含み、各吊り上げ取り付け具は、好ましくは、軸部を含み、この軸部は、設置されると、構造用パネルの吊り上げ孔を貫通して延伸して、対応する吊り上げアイとつながるように適応される。
【００３２】
１つの好ましい実施形態において、吊り上げ形成物は、一体成形吊り上げアイ付きのヘッドを有するアイボルトと、一体成形吊り上げアイを組み込んだ相補的なアイナットとを含み、このアイボルトは、アイボルトの軸部が、使用時、構造用パネルの反対側のアイナットと取り外し可能に係合するために、構造用パネルの吊り上げ孔を貫通して延伸するように適応されるように構成される。
【００３３】
いくつかの実施形態において、吊り上げ取り付け具は、好ましくは、アイボルトの軸部を収容するように適応された取り付け孔が設けられたベースプレートをさらに含み、このベースプレートは、構造用パネルの吊り上げ孔の周りにおける負荷の分散および応力集中の抑制を図るために、アイボルトまたはアイナットのいずれかと、関連する構造用パネルの外面との間に位置づけられるようにされる。いくつかの実施形態において、ベースプレートは、アイボルトおよび／またはアイナットと一体に形成されてもよい。
【００３４】
一実施形態において、各リンク要素は、各端部にフックを備えた所定の長さのチェーンを含み、これらのフックは、使用時、隣接する構造用パネルの相互に対向する吊り上げアイとそれぞれ取り外し可能に係合するように適応される。他の実施形態において、リンク要素は、鋼または他の適切な構造材料または負荷支持材料で形成された任意の長さのワイヤケーブル、ロープ、バー、ロッドなど、他の形態のものであってもよい。
【００３５】
構造用パネルのサイズおよび重量に応じて、複数の吊り上げ孔およびそれらに関連する吊り上げ取り付け具およびリンク要素が使用されてもよい。このような場合、吊り上げ孔は、典型的に、構造用パネルの中心線または重心に対して均一に分散され、連なりの構造用パネルのすべてを同時に安定して吊り上げやすいように位置づけられる。
【００３６】
好ましい実施形態において、連なりは、２つ、最大５つ、６つ、または場合によっては、７つ以上任意の数のパネルを含んでもよい。パネル数の上限は、各パネルの重量と、パネルを揚重するために配備する特定のクレーンの定格荷重と、吊り上げ取り付け具およびリンク要素の定格荷重とによって調整される。典型的に、より軽量のパネルが使用されれば、１回の吊り上げ作業において各連なりでつなげたりまとめたりすることが可能なパネル数も増え、揚重する数も増えることになる。
【００３７】
関連する態様において、本発明により、上記に規定された方法において、構造建築用パネルの第１の面から第２の面に延伸する少なくとも１つの吊り上げ孔を組み込んだ組み立て式の構造建築用パネルであって、建築構造体の壁または床を形成するために複数の相補的な建築用パネルと関連させて使用するために適応された、組み立て式の構造建築用パネルが提供される。
【００３８】
さらなる態様において、本発明により、略垂直支持構造体を規定するように離間して設けられた一連の垂直向き支柱を含む多層建築物の壁部分を設置する方法であって、
複数の組み立て式の構造用パネルを設け、構造用パネルのそれぞれは、吊り上げ形成物を含み、吊り上げ形成物により構造用パネルの吊り上げが可能になるステップと、
壁部分の目的位置の略上方に実質的に水平向きにレール形成物を支持構造体に取り外し可能に取り付けるステップと、
パネル係合機構およびレール横断機構を組み込んだクレーンキャリッジアセンブリを設けるステップと、
レール横断機構によってレール形成物にクレーンキャリッジアセンブリを取り外し可能に取り付けることで、キャリッジアセンブリがレールを横断するように堅固に適応されるステップと、
キャリッジアセンブリのパネル係合機構と構造用パネルの吊り上げ形成物とを取り外し可能に接続することで、レール形成物から構造用パネルが懸架されるステップと、
壁部分の目的位置に隣接して懸架された構造用パネルを位置づけるように前記レールに沿ってキャリッジアセンブリを移動させるステップと、
壁部分に構造用パネルを位置づけ固定するステップと、
パネル係合機構を取り外すステップと、
連続するパネルを連続して並べて位置づけて建築物の壁部分を形成するように、上記ステップを繰り返すステップと、
を含む方法が提供される。
【００３９】
１つの好ましい実施形態において、ここでも、構造用パネルは、鋼補強されたオートクレーブ養生気泡コンクリート（ＡＡＣ）から形成される。
【００４０】
好ましくは、レール形成物は、一連の離間した取り外し可能な接続ブラケットによって取り付けられ、各接続ブラケットは、使用時、レール形成物の対応する位置にそれぞれの支柱から延伸する。
【００４１】
一実施形態において、吊り上げ形成物は、構造用パネルのそれぞれの正面から背面へ延伸する少なくとも１つの吊り上げ孔を含む。好ましくは、吊り上げ形成物は、一体成形吊り上げアイ付きのヘッドを有するアイボルトを含み、このアイボルトは、アイボルトの軸部が、構造用パネルの反対側の相補的なナットと、任意に、ベースプレートと取り外し可能に係合するために吊り上げ孔を貫通して延伸するように適応されるように構成される。
【００４２】
１つの好ましい実施形態において、キャリッジアセンブリのパネル係合機構は、構造用パネルの吊り上げアイと取り外し可能に係合するように適応されたフック形成物で終端するワイヤロープ、ケーブルまたはチェーンを含む。
【００４３】
一実施形態において、レール形成物は、水平向きの上側および下側フランジと、垂直向きの相互接続ウェブとを備えるＩ型梁の形態のものである。キャリッジアセンブリは、好ましくは、Ｉ型梁の下側フランジと転動係合するように適応されたガイドホイールを含むレール横断機構を含む。支持ブラケットは、好ましくは、Ｉ型梁の上側フランジに接続される。
【００４４】
１つの好ましい実施形態において、キャリッジアセンブリは、レール上でキャリッジを駆動させるように、任意に、遠隔制御によって駆動させるように適応された第１の駆動機構を組み込んで動力化される。好ましくは、キャリッジアセンブリは、パネル係合機構を介して、この場合も、任意に、遠隔制御によって、懸架された構造用パネルを徐々に上昇および下降させるように適応された第２の駆動機構を含む。好ましくは、第２の駆動機構は、ウインチに接続され、このウインチは、構造用パネルに接続されたワイヤロープを制御し、ひいては、構造用パネルの高さを調整するように適応される。
【００４５】
いくつかの実施形態において、第２の駆動機構は、少なくとも２階分に相当する距離だけパネルを上昇または下降させることで、同じレール形成物が建築構造体の複数の階に壁部分を建てやすくなるようにすることができる。
【００４６】
いくつかの実施形態において、この方法は、
複数の中間リンク要素を用いて、複数の構造用パネルを連なりとして取り外し可能に相互接続するステップと、
キャリッジのパネル係合機構および１つ目のパネルの吊り上げ形成物によって、連なりの１つ目のパネルをキャリッジアセンブリに接続するステップと、
キャリッジの駆動機構によって１つ目のパネルを吊り上げ、連なりの相互接続された後続パネルを最下層のパネルの要求高さまで揚重するステップと、
最下層のパネルを位置づけ、固定し、および解放するステップと、
建築物の対応する壁部分または小部分を形成するように駆動機構を用いて、連なりの後続パネルを連続して位置づけ、固定し、および解放するステップとをさらに含む。
【００４７】
さらなる別の態様において、本発明により、実質的に前述した方法で、組み立て式の構造用壁または床パネルを位置づけやすくするように、建築支持構造体に接続された支持レール形成物で使用するために適応された、上記に規定されたクレーンキャリッジアセンブリが提供される。
【００４８】
さらなる態様において、本発明により、相補的な構成部品の予めパッケージングされたキットであって、実質的に上述したような組み立て式の支柱、組み立て式の支持梁および組み立て式の構造用パネルを含み、キット関連の指示書に従って、組み立て時、所定の構成で適応されて建築構造体を形成する、相補的な構成部品の予めパッケージングされたキットが提供される。
【００４９】
この態様の１つの実施形態において、キットの組み立てプロセスは、実質的に上記に規定したような建築物の建設方法またはシステムの１つ以上を利用する。一実施形態において、コンポーネント部品は、小型の「フラットパッキング」および効率的なバルク輸送用に選択または設計され、最適には、配設される。本発明のこのような形態は、コスト効率が高く、容易に輸送可能であるため、遠隔地や発展途上国において、特に、低コスト住宅や他の建築基盤に特に良く適している。
【００５０】
さらなる態様において、本発明は、建築物の支持フレーム要素間に構造床または構造壁を形成するように複数の同様のパネルとともに連続して並べて支持されるように適応された組み立て式の構造用パネルを含み、各パネルは、一方の面から反対の面までパネルを貫通して延伸する予め形成された少なくとも１つの吊り上げ孔を含み、この吊り上げ孔により、吊り上げ形成物は、パネルを堅固にクレーン吊り上げでき、吊り上げ孔のそれぞれによって複数のパネルを連なりとして連結して、複数のパネルを同時に吊り上げることができる。
【００５１】
好ましくは、パネルは、実質的に、ＡＡＣから形成され、吊り上げ孔は、パネルのオートクレーブ処理前に形成される。任意に、パネルは、吊り上げ孔の近傍のＡＡＣマトリックス内に補強材を含む。また、吊り上げ孔は、いくつかの実施形態において、補強用に、例えば、管状の金属スリーブによってライニングされてもよい。
【００５２】
以下、添付の図面を参照しながら、本発明の好ましい実施形態について例としてのみ記載する。
【図面の簡単な説明】
【００５３】
【図１】本発明により形成された多層建築構造体を示す斜視図。
【図２】図１の矢印Ａから見た建築構造体の平面図。
【図３】図１の矢印Ｂから見た建築構造体の立面図。
【図４】地面下方の地階および地面上方の上階を示す、本発明により形成されたさらなる建築構造体の立面図。
【図５】図４に示す建築構造体の上階のフレームおよび床パネル配置を示す平面図。
【図６】図４および図５の建築構造体の床システムを示す拡大側断面図。
【図６Ａ】図６のさらなる拡大詳細断面図。
【図７】本発明による、鋼梁水平床支持構造体上の隣接するＡＡＣ構造用パネルから形成された床の一部を示す斜視図。
【図８】一対の隣り合う構造用パネル間に規定される溝に支持された鉄筋を示す、図７の線Ａ−Ａに沿って切り取られた断面図。
【図９】隣り合う構造用パネル間に規定された溝における鉄筋および周囲グラウト材を示す、図７の線Ｂ−Ｂの方向の側面図。
【図１０】本発明による一対の離間した吊り上げ取り付け具とともに、補強ＡＡＣから形成された構造用パネルを示す斜視図。
【図１１】図１０の吊り上げ取り付け具の１つをより詳細に示す拡大斜視図。
【図１２】本発明による、吊り上げ孔が設けられ、吊り上げ取り付け具が装着され、クレーンフックに接続された別の形態の構造用パネルの斜視図。
【図１３】本発明による、１回の動作で同時に吊り上げるための吊り上げチェーンによって連なりとして相互接続された、図１２に示すタイプの２つの構造用パネルを示す斜視図。
【図１４】１回の吊り上げ動作でクレーンによって同時に吊り上げるために相互接続された一連の３つの構造用パネルを示す、図１３に類似した斜視図。
【図１５】本発明の一態様による、構造用壁パネルを位置づけやすいように仮のレール形成物を組み込んだ、多層建築物用の垂直向き構造フレームの斜視図。
【図１５Ａ】図１５の領域Ａをより詳細に示す拡大斜視図。
【図１５Ｂ】図１５の領域Ｂをより詳細に示す拡大斜視図。
【図１５Ｃ】図１５の領域Ｃをより詳細に示す拡大斜視図。
【図１６】キャリッジアセンブリを図式的に示すとともに、図１５のレール形成物および関連するパネル吊り上げ要素の１つをより詳細に示す拡大斜視図。
【図１７】図１５および図１６のキャリッジアセンブリをより詳細に示すさらなる拡大斜視図。
【図１８】専用吊り上げフレームとともに使用される吊り上げクレーンおよびキャリッジアセンブリを示す、図１７に類似した斜視図。
【図１８Ａ】異なる構成の吊り上げ孔を有する相補的な構造用パネルとともに使用するのに適した、図１７に示した専用吊り上げフレームの別の実施形態を示す拡大斜視図。
【図１８Ｂ】異なる構成の吊り上げ孔を有する相補的な構造用パネルとともに使用するのに適した、図１７に示した専用吊り上げフレームの別の実施形態を示す拡大斜視図。
【図１８Ｃ】異なる構成の吊り上げ孔を有する相補的な構造用パネルとともに使用するのに適した、図１７に示した専用吊り上げフレームの別の実施形態を示す拡大斜視図。
【図１９】斜め筋交い要素および吊り上げコア用のモジュール式支持構造体を組み込んだ、本発明のさらなる実施形態による１階層の支持構造体を示す斜視図。
【発明を実施するための形態】
【００５４】
本発明は、一態様において、多層建築構造体１および関連する建設方法を提供する。まず図１から図３を参照すると、構造体１は、略垂直支持構造体３を規定するように離間して配置された一連の垂直向き支柱２を含む。この実施形態において、支柱２は、必要に応じて、相補的鋼接続ブラケット４および関連するボルトによって端同士を接続した構造用鋼Ｉ型梁から形成される。しかしながら、これに追加して、またはこの代わりとして、他の構造材料、柱構成および相互接続方法が使用されてもよいことを理解されたい。
【００５５】
一連の水平向き床支持梁５は、上階床に対して水平支持構造体６を規定するように、離間して略平行に垂直支柱２に接続される。また、床支持梁５は、好ましくは、構造用鋼Ｉ型梁から形成され、垂直支柱２のそれぞれにボルト締めまたは溶接されるが、この場合も、他の実施形態において、別の材料や接続方法が使用されてもよい。
【００５６】
床自体は、略矩形状の適切な軽量オートクレーブ養生気泡コンクリート（ＡＡＣ）配合物から形成された複数の組み立て式の構造用パネル１０から形成される。ＡＡＣパネルは、内部鋼鉄筋とともに予め形成されるため、構造用途での使用も可能である。この材料は、軽量化、十分な強度、良好な音響・熱特性、耐火性、耐久性（適切な仕上げ後）、設置容易性および現場での作業容易性を含むさまざまな重要かつ独特の特性および利点を与える。また、ＡＡＣは、耐水性、耐腐食性、耐カビ性、耐白カビ性、昆虫の侵入防止性および凍結／融解による耐劣化性を備える。
【００５７】
構造用パネル１０は、連続して並べて配置され、上階の構造床１２を形成するように下地の水平支持梁５に固定される。構造用パネル１０の床支持梁５への固定は、ボルト締め、ねじ留め、接着、ブラケット、位置決めピン、ラグなどのさまざまな技法を用いて達成されてもよい。１つの好ましい方法において、構造用パネルは、支持梁に適用される薄い敷モルタル層にそのまま据え付けられる。いくつかの実施形態において、構造用パネルは、周囲梁によって側方に位置づけられるため、床支持構造体への内部留めや固定が不要である。
【００５８】
パネル寸法は、意図した用途に応じて大幅に異なるものでありうる。典型的には、構造用パネルは６００ｍｍ幅のものであるが、パネル幅は、異なる用途および要求に応じて２００ｍｍ未満のものから１０００ｍｍを超えるものまでさまざまであってもよい。構造用パネルは、好ましくは、およそ２００ｍｍ厚みのものであるが、パネル厚みは、荷重制約および性能要求に応じて、１００ｍｍ未満のものから３００ｍｍを超えるものまでさまざまであってもよい。構造用パネルは、好ましくは、６ｍの長さに形成されるが、パネル長さは、必要に応じて、１メートル未満から１０メートル以上のものまでさまざまであってもよい。パネル密度は、典型的に、およそ８００ｋｇ／ｍ３であるが、この場合も、パネル密度は、強度、多孔性、耐久性、作業性および他の性能要求に応じて、５００ｋｇ／ｍ３未満から１，０００ｋｇ／ｍ３を超えるものまでさまざまであってもよい。圧縮強度は、好ましくは、２．０〜８．０Ｍｐａの範囲のものであり、最大引張強度は、好ましくは、０．２〜０．８Ｍｐａの範囲のものである。
【００５９】
適切なＡＡＣ材料の典型的な基本配合材は、珪砂、石灰、セメントおよび水を含む。また、必要に応じて、仕上げ製品に対して指定された密度に従って、典型的には、０．０５体積％〜０．０８体積％の比率でアルミニウム粉末が添加される。製造プロセス中、アルミニウム粉末は、水酸化カルシウムおよび水と反応して水素を発生することで、混合物の体積を実質的に増大させるように発泡する。水素は最終的に分散し、空気と置き換わる。材料は、固体ではあるが軟らかい状態のまま、鋳型や金型から外され（必要に応じて、鉄筋が埋め込まれた状態で）、典型的に、およそ１９０℃の温度および８〜１２バールの圧力で１２時間、オートクレーブ室に配置される。これらの条件下で、珪砂は水酸化カルシウムと反応して珪酸カルシウム水和物を生成し、要求強度および他の機械的特性を与える。オートクレーブ養生後、製品の使用準備が整う。最終密度および強度要求に応じて、ＡＡＣブロックまたはパネルの体積のうち、最大８０％が空気であってもよく、単位体積重量は、従来のコンクリートのわずか２０％でありうる。
【００６０】
なお、特定の性能パラメータが満たされるのであれば、さまざまな配合材およびプロセスの変形例が利用されてもよい。特殊用途の添加物または代替材料が、難燃剤、密封性、界面活性剤、曝気剤、密度変更剤、絶縁体、接着剤、充填剤などを含む特定用途または性能特性のために配合材において使用されてもよい。適切なＡＡＣ製品は、さまざまな専門の供給元から供給されうる。特殊な材料特性および性能パラメータを達成するために伴う詳細な製造プロセスは、当業者に十分に理解されているものであるため、以下においてさらに詳細には説明しない。
【００６１】
図４から図６に別の建築構造体１が示されており、同図において、同様の特徴が対応する参照番号によって示されている。この場合、建築構造体は、地面下方の複数の地階１５および地面上方の複数の上階１６を含む。また、周辺基盤支持システムを含む基礎構造体１７も知られている。この実施形態において、地階１５は、実質的に合成スラブから構成された床階層を組み込み、これらの階層は、従来の建築技法により現場で形成された、金属デッキ上にウェットな状態で流し込まれた鉄筋コンクリートを備える。上階１６は、本発明によるＡＡＣパネルから形成された軽量構造床を組み込む。
【００６２】
図５および図６は、図４の構造体から上階のフレーム／フロアシステムをより詳細に示す。特に、図６および図６Ａを参照すると、構造用パネル１０が水平鋼梁５に載置されていることが分かる。壁に隣接した構造用パネルのエッジは、鋼周囲梁２０によって位置づけられて支持され、垂直支柱２に接続される。内壁構造体２２は、軽量鋼フレーム部材２３と、内装被覆材（図示せず）とから形成される。外壁は、垂直向きの略矩形状の構造用ＡＡＣ壁パネル２５から形成され、この壁パネル２５は、床パネルの構成に類似したもので、ここでも、連続して並べて配置されるが、典型的に、床パネルよりも薄く軽量のものである。
【００６３】
図７から図９に、構造用床パネル１０および好ましい相互接続方法がさらに詳細に示されている。構造用床パネルは、相補的なエッジ側面形状を有する略矩形状の構成のものであり、隣り合うパネルが連続して並べて配置される場合に、パネル間が係合するようにされた実継ぎ形成物など、任意に、係合、重複または隣接する要素を含んでもよい。
【００６４】
図９に最良に示されているように、図示する特定の配設において、隣接するエッジ側面形状は、隣り合うパネルの各対の間に長手方向に延伸して、上向きに伸びる略Ｖ字状または略Ｕ字状の溝３０を規定するように組み合わせて適応される。各パネル間の接合を仕上げるために、まず、鉄筋３２を関連する溝３０の長手方向に延伸するように位置づけられることが好ましい。これらの鉄筋３２、または補強ケーブルは、まず、溝３０内に設置するように適応されたスタンドを任意に含むリング梁３５（図８を参照）、または他の適切な支持構造体によって支持される。
【００６５】
鉄筋が所定の位置に支持され、好ましくは、各溝に少なくとも１本の鉄筋が支持された状態で、溝に、気泡コンクリート材料と結合してパネルを形成する相溶性のセメント質グラウト材３６が充填される。これにより、グラウト材は、パネルを互いに固定して、中間接合部を強化しながら、隣り合う構造用パネル間に延伸する実質的に連続した上面３７を形成する。適切な接合部充填材料は、さまざまな非収縮グラウト、モルタルおよびコンクリートを含む。図９に、仕上げ済みの接合部が最良に示されている。この実施形態の１つの変形例（図示せず）において、Ｕ字状の溝３０の側壁は、縁に向かって上向きに収束する。このような形は、グラウト材が硬化すると、グラウト材を適所に機械的に合わせることで、パネル間の接合部のそれぞれにさらなる完全性、安定性および耐久性をもたらす効果を有する。
【００６６】
図１および図４の建築構造体において、主壁部分３８を形成するために、連続して並べて配置されたＡＡＣパネルを用いる同様の技術が用いられる。図６に最良に示されているように、壁パネル２５は、主に、周囲梁２０から外向きに延伸する水平フランジ３９に支持され、適切なボルト、ブラケット、接着剤、ラグおよび／または他の固定手段によって適所に保持される。
【００６７】
本発明のいくつかの実施形態および実施例において、建築システムのさまざまなコンポーネントは、部品の数量を合わせて別個にまとめて提供するバンドルとしてコンパクトに予めパッケージングされ、キットとして、任意に、所定の建築プランに応じて詳細な組立説明書が付いたキットとして現場に効率的に配送されてもよい。本発明のこの態様は、点在する場所や遠隔地における建設や、補足材料、資源もしくは技術が限られることがある発展途上国における建設に特に好適な場合がある。
【００６８】
この主題におけるさらなる変形例において、別の実施例では、オフサイトで、例えば、専用の生産工場において、別個の建築モジュールが建設される。このようなモジュールは、例えば、一連の垂直支柱、水平支持梁および構造用パネルを備え、これらはモジュール式の状態で現場に配送するために部分的または完全に予め組み立てられる。この文脈におけるモジュールは、床部分または壁部分、部屋全体、複数の相互接続された部屋、構造コアの別個の部分、または場合によっては、建築構造体の階層全体を含んでもよく、サイズ、重量、輸送および他の論理的制約によって変わる。このように、現場での建設は、所定の建築計画に応じて、主に、一連の組み立て式の構造モジュールの相互接続および一体化に向けられたものである場合もある。
【００６９】
部分的な組み立て式のモジュール構造および／または最終的な組み立てをさまざまな場所で行うことが可能であるため、特に明記しない限り、記載されるさまざまな方法ステップは、異なるシーケンス、異なる時間、異なる場所で行われてもよいことを理解されたい。このような変形例は、実現可能である限り、記載される本発明の範囲内のものであることを理解されたい。
【００７０】
さらなる態様において、本発明により、以下に記載するように、現場で構造用パネルを効率的に吊り上げ、位置づけるための方法およびシステムが提供される。最初に、図１０から図１２を参照すると、各パネルは、パネルの上面から下面まで延伸する少なくとも１つの吊り上げ孔４０を含む。図１０に示す実施形態において、このような吊り上げ孔が２つ設けられ、略水平向きにパネルをバランスよく安定して吊り上げるために、これらの孔は、パネルの中心線および重心に対して対称的に設けられる。
【００７１】
各吊り上げ孔４０は、建築構造体の適切な階層および位置にパネルを確実にクレーンで吊り上げやすいように、吊り上げ形成物４３を取り外し可能に受けるように適応される。
【００７２】
一実施形態において、図１１に最良に示されているように、吊り上げ形成物４３は、パネルを両側から吊り上げることができるように、吊り上げアイ４６を組み込んだヘッドとともに形成されたねじ付きアイボルト４４と、任意に第２の吊り上げアイ４６を組み込んだ相補的なアイナット４７とを備える。また、特に、吊り上げ動作中、吊り上げ孔の周りでの応力集中を最小限に抑えるために、任意に、吊り上げ形成物の一部としてベースプレート５０が設けられる。ベースプレート５０は、必要に応じて、パネルの両側に設けられてもよく、任意に、永久的に取り付けられてもよい。重要なことは、ボルト軸部は、吊り上げ動作中の最適な安全性およびセキュリティを確保するために、パネルを貫通して延伸する点である。
【００７３】
必要に応じて、さらなる鋼メッシュまたは他の適切な補強材料が、構造的な完全性を高めるために、パネルの作製プロセス中、吊り上げ孔の近傍のパネルに組み込まれてもよい。パネルの１つ以上の面に固定される外部締め付け機構またはブラケットなど、他の吊り上げ形成物も考えられることで、貫通孔および貫通ボルトは必ずしも必要ではない。
【００７４】
図１０および図１２に示すように、個々のパネルを確実に吊り上げることができるとともに、以下にさらに詳細に記載するように、さらなる態様における本発明の方法およびシステムにより、複数のパネルを連結して同時に吊り上げることができる。
【００７５】
図１３および図１４を参照すると、各吊り上げ取り付け具４３は、この場合、一対の吊り上げアイ４６を組み込んでいる。一方の吊り上げアイは、前述したようにアイボルトのヘッドに組み込まれ、パネルの上面からアクセス可能であり、他方の吊り上げアイは、アイナットに組み込まれ、パネルの下面からアクセス可能である。このようにして、吊り上げアイは、吊り上げ孔をそれぞれ貫通して延伸し、負荷支持接続要素、この場合は、吊り上げボルトの軸部によって直接相互接続される。
【００７６】
この配設により、複数の中間リンク要素５３（図１３および図１４を参照）を用いて、複数のパネルを連なり５２として取り外し可能に接続することができる。各リンク要素は、各端部にフック５５を有する所定の長さのチェーン５４を含み、フック５５は、相互に対向する吊り上げアイ４６を隣接するパネルに取り外し可能に係合するように適応される。他の実施形態において、リンク要素は、ある長さのワイヤケーブルまたはロープ、固体のバー、ロッドなど、鋼または他の適切な負荷支持材料から形成されたものなどの別の形態のものであってもよい。
【００７７】
図示した配設において、各パネルは、パネルのそれぞれの中心線の周りに均一に配置された一対のリンク要素５３によって、連なりの次のパネルに接続される。他の配設において、異なる数および構成のリンク要素が使用されてもよい。場合によっては、１つのみのリンク要素が、各連結パネル対の間に使用され、パネルの重量が重い場合、必要に応じて、３つ、４つまたは５つ以上のリンク要素が使用されてもよい。また、他の配設において、各連なりのパネルは、水平方向においてエッジ間および垂直方向において端部間を含む異なる向きに相互接続されてもよい。
【００７８】
所定数のパネルが連なり５２を形成するように相互接続されると、連なりの１つ目のパネルは、１つ目のパネルの上面にある１つ以上の吊り上げアイによってクレーンフック５８に接続される。
【００７９】
その後、このプロセスは、クレーンフックを介して１つ目のパネルを吊り上げて、連なりの後続の相互接続されたパネルを、パネルが要求されている階層にほぼ相当する支持構造体の高さまで揚重する工程を含む。このようにして、連なりにあるパネルのすべてが、１回のクレーン吊り上げ動作で実質的に同時に上昇される。また、パネルの複数の連なりが、１回の動作で同時に吊り上げられてもよいことを認識されたい。
【００８０】
パネルの各連なりが要求された階層の適所へと操作されると、リンクチェーン５４は、吊り上げアイ４６から解除され、アイボルトおよびナットは、パネルから取り外される。そして、パネルは、上階床の対応する部分の基礎を形成するように、水平支持構造体に手作業で連続して並べて位置づけられる。
【００８１】
そして、このプロセスは、全階層の床が完成するまで、構造用パネルの連続した連なりまたは連結した群に対して必要な回数繰り返され、必要に応じて接合部の仕上げがなされる。多階層建築構造体の全床システムが完成するまで、次の連なりのパネルが次の階層の高さに吊り上げられ、その後も同様に続けられる。
【００８２】
好適には、この方法により、クレーンの各吊り上げ動作において複数のパネル（通常、パネルのサイズや重量によって一度に３枚、４枚、５枚または６枚）を上昇させることができるため、全体的な建設時間が大幅に短縮されることを認識されたい。時間の節約は、高さが増すほど大きくなる。これは、各吊り上げ動作において、クレーンフックを地面から上昇および下降させるのに必要な時間が、高さに相応してかかるためである。
【００８３】
さらなる別の態様において、本発明により、建築構造体に壁部分を設置するための方法およびシステムが提供され、ここでも、好ましくは、鋼補強されたＡＡＣまたは他の適切な材料から形成された構造用パネルを利用する。このシステムおよび方法は、通常、前述したパネルリンク方法を用いて、連なりまたは群で適切な階層まで壁パネル２５が吊り上げられた後に実施される。しかしながら、必要であれば、地面から直接壁パネルを吊り上げるように適応されてもよい。
【００８４】
図１５から図１７を参照すると、まず、この実施形態においては、上側フランジ６４および下側フランジ６５を有するＩ型梁の形状のものであるレール形成物６３が、壁部分を構築しようとする場所の上方にある略水平向きの建築フレームまたは支持構造体に固定される。この固定は、離間して設けられた取り外し可能な一連の接続ブラケット６６によって行われる。図示した実施形態において、接続ブラケット６５のそれぞれは、垂直支柱２のそれぞれからＩ型梁レールの上側フランジ６４の対応する位置まで延伸する。
【００８５】
各パネルには、ＡＡＣ床パネルに関して前述したように、予め形成された吊り上げ孔を通って延伸するアイボルト４４の形状であることが好ましい吊り上げ形成物４３が取り付けられている。しかしながら、この場合、吊り上げ孔は、建築構造体においてパネルが位置づけられる垂直向きにパネルを吊り上げやすいように、パネルの上端部の方へ位置づけられることが理想的である。
【００８６】
図１７に最良に示されているように、遠隔制御式の電気的に動作可能な吊り上げクレーンキャリッジアセンブリ７０がガイドレールの下側フランジ６５に取り付けられることで、キャリッジは、ガイドホイール７２でレールを確実に横断するように適応される。キャリッジ７０は、パネル係合機構を含み、パネル係合機構は、好ましくは、壁パネルにある吊り上げアイ４６と取り外し可能に係合するように適応されたフック７５で終端するワイヤロープ７４の形状のものである。
【００８７】
クレーンキャリッジ７０は、オペレータからの遠隔制御入力に応答してホイール７２を介してレール上でキャリッジを駆動するように適応された第１の駆動モータ８０を組み込む。ウインチ機構８３に第２の駆動モータ８２が接続され、ウインチ機構８３は、この場合も、遠隔制御によって、パネルに接続されるワイヤロープ７４を介して懸架パネルを徐々に上昇または下降させるように適応される。
【００８８】
このようにして、図１５から図１７に最良に示されているように、壁パネルを支持するキャリッジは、遠隔制御によって、パネルが向かう場所のすぐ上方の位置までレールを横断した後、電動式のウインチ機構８３を用いて組み立て中の壁部分の位置へパネルを下降させることができる。
【００８９】
建築構造体の対応する階層にいるオペレータによってパネルが適所に固定されると、吊り上げフックが取り外され、後続のパネルに対して上記プロセスを繰り返すことで、パネルは、建築構造体の壁部分を形成するように連続して並べて順次位置づけられる。好適には、オペレータは、外壁パネルを固定しながら、ガードレールの後方の建築構造体内に安全に位置しうるため、壁の構築プロセス中の外部の足場の範囲は実質的に低減されうる。
【００９０】
必要に応じて、複数のクレーンキャリッジが単一のレールにて同時に動作してもよいことを認識されたい。また、必要に応じて、内壁および／または床パネルを建築構造体の範囲内に位置づけやすいように、任意に、内側レール６３およびクレーンキャリッジが利用されてもよい。
【００９１】
いくつかの実施形態において、ウインチ機構８３は、少なくとも２階層分に相当する距離だけパネルを上昇または下降させることで、同じレール形成物が建築構造体の複数の階層に壁部分を建てやすくすることが可能なケーブルを組み入れる。これは、図１５の配置に示されており、同図において、各ガイドレールは、各ガイドレールの下方にある３階層に効果的に助力する。好適には、これにより、必要なレール数が最小限に抑えられる。
【００９２】
いくつかの実施形態において、１枚の垂直向きパネルが２階層に及びうるように、より長い壁パネルが使用されてもよい。例えば、多層建築構造体の４階層にわたるように、１枚が１２メートルのパネルが使用されうる。このような場合、さらなるパネル重量により、吊り上げ動作中のパネル内での負荷配分を改善するために、複数の吊り上げ孔が設けられてもよい。このようなパネル構成および設置方法は、壁パネルを適所に配置するのにかかる時間を大幅に短縮するだけでなく、必要とされるパネル間接合部の数（場合によっては、その数倍）を実質的に低減させる。これにより、得られる全体的な外観がきれいになり、仕上げプロセス、封止などに関わるパネル接合部でのコストがかかる労働力投入の程度が最小限に抑えられる。また、この方法および装置は、要求される階層まで床パネルを上昇させるために使用されてもよいことを認識されたい。
【００９３】
図示した実施形態において、レール６３は、壁が構築されると取り外されることが意図されている。しかしながら、他の実施形態において、レールは、フレーム構造体および／または建築物の永久的な特徴と一体形成されてもよい。この場合、レールは、建築物の全体的美観に建築的に一体化されてもよく、および／または、建築物の完成後、支持体の外側の窓の清掃またはメンテナンス機器など、他の機能的な目的のために適応されてもよい。
【００９４】
さらなる変形例において、複数の壁パネルは、床パネルに関して前述したものと本質的に同じ方法で、チェーンやワイヤロープなどの一連の中間リンク要素を用いて連結され、または相互接続されることで、クレーンキャリッジアセンブリシステムによって、連なりにある複数のパネルを迅速に連続して効率的に位置づけるようにしてもよい。
【００９５】
図１８は、図１７に示すものと同じ構成のクレーンキャリッジ７０を示す。しかしながら、この場合、ワイヤロープ７４は、専用の吊り上げフレーム８５によって構造用壁パネル２５に接続される。吊り上げフレームは、実質的に対称的であり、使用時、上側ブリッジ部８７からパネルの対向する面に沿って関連する吊り上げ孔４０へ下方向に延伸するように適応された一対の吊り上げアーム８６を含む。ブリッジ部８７の長さは、パネルの厚みにほぼ相当する。吊り上げラグ８８は、ブリッジ部８７から上方向に延伸し、ワイヤロープの端部に固定して取り付けられたクレーンフックなどの対応する取り付け具によって係合するように適応された吊り上げ孔８９を含む。
【００９６】
使用時、吊り上げアーム８６のそれぞれに対応して整列された孔９１と、パネルの整列された吊り上げ孔４０とを通って延伸するように、吊り上げボルト９０が挿入される。ボルトは、対応するナット９２と係合するように適応され、対応するナット９２は、この場合、吊り上げアームのそれぞれに溶接される。吊り上げ装置によってパネルにダメージを与える可能性を最小限に抑えながら、吊り上げフレームの対称的な構成が安定した垂直向きにパネルを安全かつ確実に吊り上げられることを認識されたい。パネルが建築構造体の要求された階層の適所に確実に吊り上げられると、吊り上げフレームは取り外され、後続するパネルに再利用するために地面へ下降される。
【００９７】
同様の特徴が対応する参照番号によって示されている図１８Ａ〜図１８Ｃは、吊り上げフレーム８５の一連の別の構成を示す。これらのフレームは、吊り上げ孔のさまざまな異なる構成を有するパネルに対応するように、吊り上げアーム８６（水平向きおよび垂直向きのアームを含む）および関連する吊り上げ孔９１の異なる構成を有する。
【００９８】
図１９には、本発明の別の実施形態が示されており、同図において、同様の特徴が対応する参照番号で示されている。図１９は、一階層分の鋼フレームおよび支持構造体３を示し、この構造体３は、通常、複数階層に同様のレイアウトを含む。前述した実施形態のように、構造体は、水平向きの床支持梁５とマトリックスとして相互接続される一連の垂直向きの支柱２を含む。この場合、選択された場所において、支持構造体はまた、構造的完全性および横安定性を高めるように、斜め筋交い部材９５を含む。
【００９９】
さらに、この実施形態の支持構造体は、主に鋼から形成される構造エレベータコア９７を含むことが示されている。リフトコアは、好ましくは、各モジュールが構造体のそれぞれの階層の高さに相当する高さを有し、上下に並んで積層され固定された複数の構造鋼コアモジュール９８から形成される。また、リフトコアモジュール９８は、強度および安定性を高めるために、斜め筋交い部材９５を含む。重要な点は、これらのコアモジュールは、必要に応じてオフサイトで組み立てられ、プロジェクト管理スケジュールにおいて必要とされるさいに現場で非常に迅速に設置されうることである。
【０１００】
モジュール式のリフトコア９７は、適所に固定されると、鋼支持構造体の一体部分をなす。そして、外壁は、非構造材料を含む、前述したタイプの構造用パネル１０を用いて、または他の適切な材料によって完成されうる。さらなる被覆層は、必要であれば、例えば、適切なレベルの防音性、耐火性性能などを与えるように設けられてもよい。好適には、これにより、従来の高層ビル建設において構造エレベータコアに通常必要とされるような、コストや時間がかかる労働集約型の現場での型枠工事やウェット状態でのコンクリートの流し込みが不要になる。
【０１０１】
本発明により、さまざまな態様および好ましい実施形態において、さまざまな利点が与えられることを認識されたい。現場でのコンクリートの打設や流し込みにより各階層を構築する必要がなくなることで、作業員の数や現場で要求されるさまざまな仕事が大幅に減り、実質的に安全性を高めながら、コスト削減および計画の複雑性の低減が図られる。
【０１０２】
この利点の重要性を示すものとして、従来の技術を利用した通常の中層ビルプロジェクトでは、主要な構造フレームおよび床の構築中、任意の所与の時間に現場でおよそ８０人から１００人の作業員が必要となり、コスト、スケジューリングの複雑性、安全面での危険性が必然的に伴うことになる。対照的に、本発明の好ましい態様により最適化され構築された類似の建築プロジェクトでは、対応する建築段階中、通常、所与の時間に現場で必要とされる作業員の人数は８人から１０人で済み、作業員の職種も非常に少ない。
【０１０３】
次の階層が構築可能になる前に、各階層でのウェット状態のコンクリートが十分に硬化するまで待機するさいに伴う固有の遅延を回避することによって、さらなる実質的な生産効率および総建築時間の短縮が達成されうる。
【０１０４】
さらに、従来の支柱の建込み、ウェット状態のコンクリートが硬化する間、現場をそのままにすること、その後、支柱を取り外すことが不要になることで、コスト、複雑性および遅延が全体的に改善される。また、支柱建てプロセスおよび関連する機器に伴う負傷の可能性が実質的になくなる。
【０１０５】
複数の組み立て式の構造用床パネルを連続して結合し、クレーンで同時に吊り上げることができることで、プロジェクトの計画、効率性および建設時間のさらなる改良が達成可能である。構造用壁パネルを迅速に位置づけるための専用の方法およびシステムを提供することによって、さらなる効率の増大が得られる。
【０１０６】
好ましい態様における本発明のさらなる利点は、ＡＡＣ構造用パネルを使用することによって達成可能な重量を著しく低減させることで、従来の鉄筋コンクリートの同等の面積より実質的に軽量の床または壁が得られる。これにより、より軽量の鋼フレームおよび／または別の支持構造体を使用でき、材料の利用および建設時間の面からさらなるコスト削減に寄与する。
【０１０７】
また、実質的に軽量化された鋼およびＡＡＣコンクリート建築構造体は、本質的に、地震によるダメージに対してより耐性があり、さらなるコスト削減の程度およびさらなる安全性の特徴を示す。
【０１０８】
建築構造体の軽量特性は、既存の建築構造体の上部におけるさらなる階層の増築や他の拡張部の構築に容易に適応できる。そうでなければ、このような構造体は、増築に伴う重量が増えることで、従来の技術を用いてさらなる高さまたはさらなる階層を作るために、完全に取り壊す必要がある。基礎または基盤として既存の建造物および他の構造体を用いた、本明細書に記載される方法およびシステムに基づいた増築や拡張の構築は、本発明の範囲内のものであることを理解されたい。
【０１０９】
オフサイトの専用の工場にて制御された製造条件下で建築物の大部分の主要構造要素を組み立て式のものにすることによって、より高い精度、より正確な寸法制御および優れた仕上げの高品質の製品が得られうる。さらに、地上レベルのオフサイトでより容易に制御された製造環境において製造プロセスのうちの多くを行うことができるため、作業場で負傷する危険性が、作業不能時間や作業者の補償などの関連する間接費とともに実質的に低減しうる。
【０１１０】
さらに重要なこととして、本発明は、好ましい形態において、より少ない材料、より少ないエネルギー、時間の短縮、より少ないクレーンリフトおよびより少ない現場人数で済むことで、従来の建築構法技術と比較して二酸化炭素排出量が実質的に少なくなるようにすることで、建築構造体へのより環境に優しい解決策を提供する。
【０１１１】
関連する利点は、建築現場に送る建築資材の配送を比較的少なくし、取り外す必要のある廃棄材の量を少なくすることで、配送トラック、コンクリートミキサー車、クレーンなどにより生じる交通渋滞および道路封鎖が低減する。この利点の延長として、専用工場における組み立てに集中することで、作業者による公共輸送インフラストラクチャの利用が改善されることで、この場合も、交通渋滞およびそれに伴う環境的な影響が最小限に抑えられるのに役立つ。
【０１１２】
上記および他の点において、本発明は、先行技術よりも実用的かつ商業的に著しく改良されたものである。
【０１１３】
本発明は、具体例を参照しながら記載してきたが、当業者であれば、本発明がさまざまな他の形態で実施されてもよいことを認識するであろう。また、上述したような本発明のさまざまな態様および実施形態は、独立して実施され、または他の態様および実施形態のあらゆる実行可能な並び替えおよび組み合わせとともに実施されうることを理解されたい。このような並び替えおよび組み合わせはすべて、本明細書に開示されたものとして見なされるべきである。
【図１】
2015536391.tif 000003
【図２】
2015536391.tif 000004
【図３】
2015536391.tif 000005
【図４】
2015536391.tif 000006
【図５】
2015536391.tif 000007
【図６−６Ａ】
2015536391.tif 000008
【図７】
2015536391.tif 000009
【図８】
2015536391.tif 000010
【図９】
2015536391.tif 000011
【図１０−１１】
2015536391.tif 000012
【図１２】
2015536391.tif 000013
【図１３】
2015536391.tif 000014
【図１４】
2015536391.tif 000015
【図１５】
2015536391.tif 000016
【図１５Ａ】
2015536391.tif 000017
【図１５Ｂ】
2015536391.tif 000018
【図１５Ｃ】
2015536391.tif 000019
【図１６】
2015536391.tif 000020
【図１７】
2015536391.tif 000021
【図１８】
2015536391.tif 000022
【図１８Ａ】
2015536391.tif 000023
【図１８Ｂ】
2015536391.tif 000024
【図１８Ｃ】
2015536391.tif 000025
【図１９】
2015536391.tif 000026
【手続補正書】
【提出日】平成26年9月18日(2014.9.18)
【手続補正１】
【補正対象書類名】明細書
【補正対象項目名】０００９
【補正方法】変更
【補正の内容】
【０００９】
以上のことから、第１の態様において、本発明により、建築物構築方法であって、
略垂直支持構造体を規定するように、一連の垂直向き支柱を離間して建てるステップと、
床に対して略水平支持構造体を規定するように、前記支柱に一連の水平向き支持梁を離間して接続するステップと、
複数の組み立て式の構造用パネルを設けるステップであって、構造用パネルのそれぞれは、建築構造体の選択された階層に構造用パネルをクレーンで吊り上げやすいように、構造用パネルの正面から背面へ構造用パネルを貫通して延伸する少なくとも１つの吊り上げ孔を含む、構造用パネルを設けるステップと、
一対の吊り上げ形成物の一方が各構造用パネルの正面からアクセス可能であり、一対の吊り上げ形成物の他方が各構造用パネルの背面からアクセス可能であり、および一対の吊り上げ形成物が、それぞれの吊り上げ孔の各々を貫通して延伸する負荷支持接続要素によって直接的に相互接続されるように、一対の吊り上げ形成物を組み込んだ吊り上げ取り付け具を構造用パネルのそれぞれに取り外し可能に固定するステップと、
吊り上げ形成物のそれぞれの間に延伸するように配置された少なくとも１つの中間リンク要素によって、連なりの構造用パネルの２つ以上を取り外し可能に相互接続するステップと、
連なりの相互接続された構造用パネルを要求された高さまで実質的に同時に揚重することで、構造用パネルは、揚重動作中にリンク要素によって垂直方向に離間して支持され、各構造用パネルは、吊り上げ動作中に連なりにある上側パネルおよび／または下側パネルに直接的に接続される、揚重ステップと、
建築物の構造床部分または構造壁部分を形成するように、水平または垂直支持構造体に構造用パネルを実質的に連続に並べて配置するステップと、
を含む建築物構築方法が提供される。
【手続補正２】
【補正対象書類名】明細書
【補正対象項目名】００２５
【補正方法】変更
【補正の内容】
【００２５】
さらなる態様において、本発明により、上記に規定された方法により実質的に形成された建築構造体であって、
略垂直支持構造体を規定するように離間して設けられた一連の垂直向き支柱と、
床に対して略水平支持構造体を規定するように、離間して支柱に接続された一連の水平向き支持梁と、
構造床を形成するように、水平支持構造体に連続して並べて位置づけられた複数の組み立て式の構造用パネルとを含み、構造用パネルのそれぞれは、吊り上げ取り付け具を取り外し可能に受けるように適応されるように、構造用パネルの正面から背面へ延伸する少なくとも１つの吊り上げ孔を含み、吊り上げ取り付け具は、少なくとも１つの吊り上げ形成物と、吊り上げ孔のそれぞれを貫通して延伸する負荷支持接続要素とを有する、建築構造体が提供される。
【手続補正３】
【補正対象書類名】明細書
【補正対象項目名】００２９
【補正方法】変更
【補正の内容】
【００２９】
さらなる態様において、本発明により、略垂直支持構造体を規定するように離間して設けられた一連の垂直向き支柱と、上階床に対して略水平支持構造体を規定するように、離間して支柱に接続された一連の水平向き支持梁とを含む、多層建築構造体の床部分または壁部分を設置する方法であって、
複数の組み立て式の構造用パネルを設けるステップと、
構造用パネルのそれぞれの第１の面から第２の面へ延伸する少なくとも１つの吊り上げ孔を設けるステップと、
一対の吊り上げ形成物の一方が、各構造用パネルの第１の面からアクセス可能であり、一対の吊り上げ形成物の他方が、各構造用パネルの第２の面からアクセス可能であり、および一対の吊り上げ形成物が、構造用パネルのそれぞれを貫通して延伸する負荷支持接続要素によって直接相互接続されるように、一対の吊り上げ形成物を構造用パネルのそれぞれに設けるステップと、
複数の中間リンク要素を用いて、複数の構造用パネルを連なりとして取り外し可能に相互接続することで、連なりの各構造用パネルの第２の面にある吊り上げ形成物が、リンク要素のそれぞれによって連なりの次の構造用パネルの第１の面にある吊り上げ形成物につなげられるステップと、
１つ目の構造用パネルの第１の面の吊り上げ形成物によって、連なりの１つ目の構造用パネルをクレーンフックに接続するステップと、
クレーンフックによって１つ目の構造用パネルを揚重することで、連なりの相互接続された後続の構造用パネルを、床または壁の要求された階層に略相当する高さまで揚重することによって、連なりの構造用パネルのすべてが、１回の吊り上げ作業で要求された階層まで垂直方向に離間して実質的に同時に上昇され、各構造用パネルは、吊り上げ動作中、連なりの上側および／または下側パネルに直接接続されるステップと、
連なりのものの構造用パネルから吊り上げ形成物およびリンク要素を取り外すステップと、
上階床または壁の対応する部分を規定するように、支持構造体に連続して並べて構造用パネルを位置づけるステップと、
建築構造体の床または壁を完成させるために、必要に応じて上記プロセスステップを繰り返すステップと、
を含む設置方法が提供される。
【手続補正４】
【補正対象書類名】明細書
【補正対象項目名】００３７
【補正方法】変更
【補正の内容】
【００３７】
関連する態様において、本発明により、上記に規定された方法において、構造建築用パネルの第１の面から第２の面に延伸する少なくとも１つの吊り上げ孔を組み込んだ組み立て式の構造建築用パネルであって、建築構造体の壁または床を形成するために複数の相補的な建築用パネルと関連させて使用するために適応された、組み立て式の構造建築用パネルが提供される。さらなる態様において、本発明により、本明細書に規定する方法または建築構造体での使用に適応された組み立て式の構造建築用パネルであって、この構造用パネルは、建築構造体の支持フレーム要素間に構造床または構造壁を形成するために、複数の同様のパネルで連続に並べて支持されるようになっていて、各構造用パネルは、一方の面から反対の面まで構造用パネルを貫通して延伸する予め形成された少なくとも１つの吊り上げ孔を含み、この吊り上げ孔または各吊り上げ孔は、一対の吊り上げ形成物の一方が一方の面からアクセス可能であり、一対の吊り上げ形成物の他方が反対側の面からアクセス可能であり、その上一対の吊り上げ形成物は、吊り上げ孔のそれぞれを貫通して延伸する負荷支持接続要素によって直接的に相互接続されるように、一対の吊り上げ形成物を組み込む吊り上げ取り付け具を受けるようになっていて、吊り上げ取り付け具のそれぞれによって連なりの複数の構造用パネルを連結できることで、垂直方向に離間して複数の構造用パネルを同時に吊り上げることができ、構造用パネルは、吊り上げ孔の少なくとも１つの近傍に内部補強材またはある密度の強化材をさらに含む、組み立て式構造建築用パネルが提供される。
【手続補正５】
【補正対象書類名】明細書
【補正対象項目名】００３８
【補正方法】変更
【補正の内容】
【００３８】
さらなる態様において、本発明により、略垂直支持構造体を規定するように離間して設けられた一連の垂直向き支柱を含む多層建築物の壁部分を設置する方法であって、
複数の組み立て式の構造用パネルを設け、各構造用パネルは、構造用パネルの正面または背面から延伸する少なくとも１つの吊り上げ孔を含むステップと、
構造用パネルのそれぞれに吊り上げ取り付け具を取り外し可能に固定し、吊り上げ取り付け具は、少なくとも１つの吊り上げ形成物と、それぞれの吊り上げ孔を貫通して延伸する負荷支持接続要素とを有する、固定ステップと、
壁部分の目的位置の略上方に実質的に水平向きにレール形成物を支持構造体に取り外し可能に取り付けるステップと、
パネル係合機構およびレール横断機構を組み込んだクレーンキャリッジアセンブリを設けるステップと、
レール横断機構によってレール形成物にクレーンキャリッジアセンブリを取り外し可能に取り付けることで、キャリッジアセンブリがレールを横断するように堅固に適応されるステップと、
キャリッジアセンブリのパネル係合機構と構造用パネルの吊り上げ形成物とを取り外し可能に接続することで、レール形成物から構造用パネルが懸架されるステップと、
壁部分の目的位置に隣接して懸架された構造用パネルを位置づけるように前記レールに沿ってキャリッジアセンブリを移動させるステップと、
壁部分に構造用パネルを位置づけ、固定するステップと、
パネル係合機構を取り外すステップと、
連続するパネルを連続して並べて位置づけて建築物の壁部分を形成するように、ステップを繰り返すステップと、
を含む設置方法が提供される。
【手続補正６】
【補正対象書類名】特許請求の範囲
【補正対象項目名】全文
【補正方法】変更
【補正の内容】
【特許請求の範囲】
【請求項１】
建築物構築方法であって、
略垂直支持構造体を規定するように、一連の垂直向き支柱を離間して建てるステップと、
床に対して略水平支持構造体を規定するように、前記支柱に一連の水平向き支持梁を離間して接続するステップと、
複数の組み立て式の構造用パネルを設けるステップであって、前記構造用パネルのそれぞれは、前記建築構造体の選択された階層に前記構造用パネルをクレーンで吊り上げやすいように、前記構造用パネルの正面から背面へ前記構造用パネルを貫通して延伸する少なくとも１つの吊り上げ孔を含む、ステップと、
一対の吊り上げ形成物の一方が各前記構造用パネルの正面からアクセス可能であり、前記一対の吊り上げ形成物の他方が各前記構造用パネルの背面からアクセス可能であり、および前記一対の吊り上げ形成物が、前記それぞれの吊り上げ孔の各々を貫通して延伸する負荷支持接続要素によって直接的に相互接続されるように、前記一対の吊り上げ形成物を組み込んだ吊り上げ取り付け具を前記構造用パネルのそれぞれに取り外し可能に固定するステップと、
前記吊り上げ形成物のそれぞれの間に延伸するように配置された少なくとも１つの中間リンク要素によって、連なりの前記構造用パネルの２つ以上を取り外し可能に相互接続するステップと、
前記連なりの前記相互接続された構造用パネルを要求された高さまで実質的に同時に揚重することで、前記構造用パネルは、揚重動作中に前記リンク要素によって垂直方向に離間して支持され、各前記構造用パネルは、吊り上げ動作中に前記連なりにある上側パネルおよび／または下側パネルに直接的に接続される、揚重ステップと、
前記建築物の構造床部分または構造壁部分を形成するように、前記水平または垂直支持構造体に前記構造用パネルを実質的に連続に並べて配置するステップと、
を含む建築物構築方法。
【請求項２】
前記構造用パネルは、比較的軽量の低密度コンクリート材料から形成される、請求項１に記載の建築物構築方法。
【請求項３】
前記構造用パネルは、オートクレーブ養生気泡コンクリート（ＡＡＣ）材料から実質的に形成される、請求項１または２に記載の建築物構築方法。
【請求項４】
前記構造用パネルは、複数の内部補強要素を含み、前記内部補強要素のうちの少なくともいくつかは、略ね長手方向に延伸する、請求項１から３のいずれか一項に記載の建築物構築方法。
【請求項５】
隣り合う構造用パネル対のそれぞれの隣接するエッジ間に規定されたそれぞれの隙間空間に、適合性のあるセメント質材料を充填することで、前記構造床上に実質的に連続した上面を形成するステップをさらに含む、請求項１から４のいずれか一項に記載の建築物構築方法。
【請求項６】
前記建築物は、多層建築物であり、前記垂直支持構造体は、地面上方の複数階にわたって延伸する、請求項１から５のいずれか一項に記載の建築物構築方法。
【請求項７】
前記支柱は、少なくとも主に鋼部分から形成され、前記方法は、ボルト締め、ブラケットまたは溶接によって前記鋼部分を固定するステップを含む、請求項１から６のいずれか一項に記載の建築物構築方法。
【請求項８】
前記支持構造体の部品として現場で設置するように適応された組み立て式の構造用サブアセンブリを形成するように、複数の前記鋼部分を現場外で固定するステップを含む、請求項７に記載の建築物構築方法。
【請求項９】
前記構造用パネルは、略矩形状に形成され、前記水平支持梁は、支持されるべき前記構造用パネルの向き、サイズおよび強度と相補的である向きおよび間隔で、離間して略ね平行に設置される、請求項１から８のいずれか一項に記載の建築物構築方法。
【請求項１０】
前記構造用パネルは、相補的または部分的に相補的なエッジ側面形状をもつように形成される、請求項１から９のいずれか一項に記載の建築物構築方法。
【請求項１１】
前記構造用パネルの隣接する対の前記隣り合うエッジ側面形状は、当接係合して各々の溝を規定するようになっていて、前記溝のそれぞれは、対応する対の隣り合う構造用パネル間で長手方向に延伸する、請求項１０に記載の建築物構築方法。
【請求項１２】
前記溝は、略ねＶ字状または略ねＵ字状の形状で上向きに広がっていく、請求項１１に記載の建築物構築方法。
【請求項１３】
前記溝のそれぞれに細長い鉄筋を長手方向に配置し、続いて前記溝にセメント質材料を充填することで、中間接合部を補強するとともに、前記隣り合う構造用パネル間に延伸する実質的に連続した上面を形成するステップをさらに含む、請求項１１または１２に記載の建築物構築方法。
【請求項１４】
前記構造用パネルを前記支持梁に現場で固定するステップをさらに含む、請求項１から１３のいずれか一項に記載の建築物構築方法。
【請求項１５】
前記構造支柱の２つ以上の間に延伸する、または前記構造支柱の２つ以上に隣接して延伸する１つ以上の壁部分を形成するように、略ね垂直向きに複数の前記構造用パネルを実質的に連続してエッジ同士を隣り合わせて配置するステップをさらに含む、請求項１から１４のいずれか一項に記載の建築物構築方法。
【請求項１６】
前記床部分または壁部分の露出面に、封止材、被膜材または被覆材の少なくとも１つの層を適用するステップをさらに含む、請求項１から１５のいずれか一項に記載の建築物構築方法。
【請求項１７】
前記吊り上げ形成物のそれぞれは、吊り上げアイを含み、各負荷支持接続要素は、軸部を含み、前記軸部は、設置状態において、前記構造用パネルの前記吊り上げ孔を貫通して延伸することで、前記対応する吊り上げアイに接続されるようになっている、請求項１から１６のいずれか一項に記載の建築物構築方法。
【請求項１８】
各吊り上げ取り付け具は、一体成形吊り上げアイ付きのヘッドを有するアイボルトと、一体成形吊り上げアイを組み込んだ相補的なアイナットとを含み、前記アイボルトの軸部が、使用時において、前記構造用パネルの反対側にある前記アイナットと取り外し可能に係合するために、前記構造用パネルにある前記吊り上げ孔を貫通して延伸するようになっている、請求項１７に記載の建築物構築方法。
【請求項１９】
前記吊り上げ取り付け具は、前記アイボルトの前記軸部を収容するように適応された取り付け孔が設けられたベースプレートをさらに含み、前記ベースプレートは、前記アイボルトまたは前記アイナットのいずれかと、前記関連する構造用パネルの外面と、の間に配置され、これにより、前記構造用パネルの前記吊り上げ孔の周りにおける負荷の分散および応力集中の抑制を図るようになっている、請求項１８に記載の建築物構築方法。
【請求項２０】
複数の前記構造用パネルはそれぞれ、単一の中心配置吊り上げ孔を含む、請求項１から１９のいずれか一項に記載の建築物構築方法。
【請求項２１】
前記構造用パネルの少なくとも１つは、前記構造用パネルの中心線に沿ってまたは中心線に対して略ね対称に離間して配置された一対の前記吊り上げ孔を含み、前記吊り上げ孔のそれぞれは、前記吊り上げ取り付け具のそれぞれの１つを取り外し可能に受けるようになっている、請求項１から２０のいずれか一項に記載の建築物構築方法。
【請求項２２】
請求項１から２１のいずれか一項に記載の建築物構築方法により実質的に形成された建築構造体であって、
略垂直支持構造体を規定するように離間して配置された一連の垂直向き支柱と、
床に対する略水平支持構造体を規定するように、離間して前記支柱に接続された一連の水平向き支持梁と、
構造床を形成するように、前記水平支持構造体に連続に並べて配置された複数の組み立て式の構造用パネルとを含み、前記構造用パネルのそれぞれは、吊り上げ取り付け具を取り外し可能に受けるようになるように、前記構造用パネルの正面から背面へ延伸する少なくとも１つの吊り上げ孔を含み、前記吊り上げ取り付け具は、少なくとも１つの吊り上げ形成物と、前記吊り上げ孔のそれぞれを貫通して延伸する負荷支持接続要素とを有する、建築構造体。
【請求項２３】
複数の前記組み立て式の構造用パネルは、壁を形成するように前記支持構造体に連続に並べて配置される、請求項２２に記載の建築構造体。
【請求項２４】
略垂直支持構造体を規定するように離間して設けられた一連の垂直向き支柱と、上階床に対して略水平支持構造体を規定するように、離間して前記支柱に接続された一連の水平向き支持梁とを含む多層建築構造体に床部分または壁部分を設置する方法であって、
複数の組み立て式の構造用パネルを設けるステップと、
前記構造用パネルのそれぞれの第１の面から第２の面へ延伸する少なくとも１つの吊り上げ孔を設けるステップと、
一対の吊り上げ形成物の一方が、各前記構造用パネルの第１の面からアクセス可能であり、前記一対の吊り上げ形成物の他方が、各前記構造用パネルの第２の面からアクセス可能であり、および前記一対の吊り上げ形成物が、前記構造用パネルのそれぞれを貫通して延伸する負荷支持接続要素を介して直接的に相互接続されるように、前記一対の吊り上げ形成物を前記構造用パネルのそれぞれに設けるステップと、
複数の中間リンク要素を用いて、複数の前記構造用パネルを連なりとして取り外し可能に相互接続することで、前記連なりの各構造用パネルの前記第２の面にある前記吊り上げ形成物が、前記リンク要素のそれぞれによって前記連なりの次の構造用パネルの前記第１の面にある前記吊り上げ形成物につなげられるステップと、
１つ目の前記構造用パネルの前記第１の面にある前記吊り上げ形成物によって、前記連なりの前記１つ目の構造用パネルをクレーンフックに接続するステップと、
前記クレーンフックによって前記１つ目の構造用パネルを揚重することで、前記連なりの前記相互接続された後続の構造用パネルを、床または壁の要求された階層に略相当する高さまで揚重することによって、前記連なりの前記構造用パネルのすべてが、１回の吊り上げ作業で前記要求された階層まで垂直方向に離間して実質的に同時に上昇され、各前記構造用パネルは、前記吊り上げ動作中、前記連なりの上側および／または下側パネルに直接接続されるステップと、
前記連なりの前記構造用パネルから前記吊り上げ形成物および前記リンク要素を取り外すステップと、
前記上階床または壁の対応する部分を規定するように、前記構造用パネルを前記支持構造体に連続に並べて配置するステップと、
前記建築構造体の前記床または壁を完成させるために、必要に応じて上記プロセスのステップを繰り返すステップと、
を含む設置方法。
【請求項２５】
前記組み立て式の構造用パネルは、補強されたオートクレーブ養生気泡コンクリート（ＡＡＣ）から形成される、請求項２４に記載の設置方法。
【請求項２６】
前記吊り上げ形成物のそれぞれは、吊り上げアイを含み、前記吊り上げアイは、吊り上げ取り付け具の一部を形成し、前記吊り上げ取り付け具は、軸部をさらに含み、前記軸部は、設置状態において、前記構造用パネルの前記吊り上げ孔を貫通して延伸し、前記対応する吊り上げアイに接続されるようになっている、請求項２４または２５に記載の設置方法。
【請求項２７】
前記吊り上げ取り付け具は、一体成形吊り上げアイ付きのヘッドを有するアイボルトと、一体成形吊り上げアイを組み込んだ相補的なアイナットとを含み、前記アイボルトの前記軸部が、使用時において、前記構造用パネルの反対側にある前記アイナットと取り外し可能に係合するために、前記構造用パネルにあるそれぞれの前記吊り上げ孔を貫通して延伸するようになっている、請求項２６に記載の設置方法。
【請求項２８】
前記吊り上げ取り付け具は、ベースプレートをさらに含み、前記ベースプレートは、前記アイボルトまたは前記アイナットのいずれかと、前記関連するパネルの外面と、の間に配置され、これにより、前記構造用パネルの前記吊り上げ孔の周りにおける負荷の分散および応力集中の抑制を図るようになっている、請求項２７に記載の設置方法。
【請求項２９】
前記ベースプレートは、前記アイボルトまたは前記アイナットと一体形成され、または固定して取り付けられる、請求項２８に記載の設置方法。
【請求項３０】
前記リンク要素のそれぞれは、各端部にフックを備えた１つ以上の所定の長さのチェーン、ケーブル、ロープまたはバーを含み、前記フックは、使用時、隣接する構造用パネルの相互に対向する吊り上げ形成物とそれぞれ取り外し可能に係合するように適応される、請求項２４から２９のいずれか一項に記載の設置方法。
【請求項３１】
複数の吊り上げ孔が、前記構造用パネルのそれぞれに形成され、対応する複数の前記吊り上げ取り付け具およびリンク要素との使用に適応される、請求項２４から３０のいずれか一項に記載の設置方法。
【請求項３２】
前記複数の吊り上げ孔は、前記構造用パネルのそれぞれの中心線または重心に対して実質的に均一に分散配置されることで、前記連なりの前記構造用パネルのすべてを安定して同時に吊り上げやすくする、請求項３１に記載の設置方法。
【請求項３３】
請求項１から３２のいずれか一項に記載の方法または建築構造体での使用に適応された組み立て式の構造建築用パネルであって、
前記構造用パネルは、建築構造体の支持フレーム要素間に構造床または構造壁を形成するために、複数の同様のパネルで連続に並べて支持されるようになっていて、
各構造用パネルは、一方の面から反対の面まで前記構造用パネルを貫通して延伸する予め形成された少なくとも１つの吊り上げ孔を含み、
前記吊り上げ孔または各吊り上げ孔は、一対の吊り上げ形成物の一方が一方の面からアクセス可能であり、前記一対の吊り上げ形成物の他方が反対側の面からアクセス可能であり、その上前記一対の吊り上げ形成物は、前記吊り上げ孔のそれぞれを貫通して延伸する負荷支持接続要素によって直接的に相互接続されるように、前記一対の吊り上げ形成物を組み込む前記吊り上げ取り付け具を受けるようになっていて、
吊り上げ取り付け具のそれぞれによって連なりの複数の構造用パネルを連結できることで、垂直方向に離間して複数の構造用パネルを同時に吊り上げることができ、
前記構造用パネルは、前記吊り上げ孔の少なくとも１つの近傍に内部補強材またはある密度の強化材をさらに含む、組み立て式の構造建築用パネル。
【請求項３４】
略ね矩形状の角柱形であり、実質的に、補強されたオートクレーブ養生気泡コンクリート（ＡＡＣ）から形成される、請求項３３に記載の組み立て式構造建築用パネル。
【請求項３５】
前記構造用パネルは、対向する長手方向のエッジに相補的または部分的に相補的な側面形状を含み、前記構造用パネルが、同様のパネルと隣接して並べて位置づけられる場合、隣接するエッジ側面形状は、広がっていく略Ｖ字状または略Ｕ字状の溝を間に規定するように組み合わせて適用される、請求項３３または３４に記載の構造用パネル。
【請求項３６】
前記吊り上げ孔の少なくとも１つが、前記構造用パネルがオートクレーブ処理される前に形成される、請求項３５に記載の構造用パネル。
【請求項３７】
前記構造用パネルの密度は、５００ｋｇ／ｍ３から１，０００ｋｇ／ｍ３の範囲のものである、請求項３４または請求項３５に記載の構造用パネル。
【請求項３８】
前記構造用パネルは、前記構造用パネルの重心付近に実質的に均一に分散配置された少なくとも２つの前記吊り上げ孔を含む、請求項３３から３７のいずれか一項に記載の構造用パネル。
【請求項３９】
略垂直支持構造体を規定するように離間して設けられた一連の垂直向き支柱を含む多層建築物の壁部分を設置する方法であって、
複数の組み立て式の構造用パネルを設け、各構造用パネルは、前記構造用パネルの正面から背面に延伸する少なくとも１つの吊り上げ孔を含む、ステップと、
前記構造用パネルのそれぞれに吊り上げ取り付け具を取り外し可能に固定し、前記吊り上げ取り付け具は、少なくとも１つの吊り上げ形成物と、前記それぞれの吊り上げ孔を貫通して延伸する負荷支持接続要素とを有する、固定ステップと、
前記壁部分の目的位置の略上方で実質的に水平向きにレール形成物を前記支持構造体に取り外し可能に取り付けるステップと、
パネル係合機構およびレール横断機構を組み込んだクレーンキャリッジアセンブリを設けるステップと、
前記レール横断機構によって前記レール形成物に前記クレーンキャリッジアセンブリを取り外し可能に取り付けることで、前記キャリッジアセンブリが前記レールを横断するように堅固に適応されるステップと、
前記キャリッジアセンブリの前記パネル係合機構と前記構造用パネルの前記吊り上げ形成物とを取り外し可能に接続することで、前記レール形成物から前記構造用パネルが吊り下げられるステップと、
前記壁部分の目的位置に隣接して前記吊り下げられた構造用パネルを位置合わせするように前記レールに沿って前記キャリッジアセンブリを移動させるステップと、
前記壁部分に前記構造用パネルを位置合わせし固定するステップと、
前記パネル係合機構を取り外すステップと、
次のパネルを連続に並べて配置し、前記建築物の前記壁部分を形成するように、前記ステップを繰り返すステップと、
を含む設置方法。
【請求項４０】
選択的に係合解除可能な吊り上げフレームによって、前記パネル係合機構と前記吊り上げ形成物とを取り外し可能に接続するステップを含み、前記吊り上げフレームは、使用時において、前記関連する吊り上げ孔を貫通して延伸するリフト要素に前記パネルの対向する面に沿って、上側ブリッジ部分から下方向に延伸するようになっている、請求項３９に記載の設置方法。
【請求項４１】
前記構造用パネルは、前記建築物の垂直方向において、少なくとも２階層分にわたるサイズのものであることで、連続に並べて配置された一列のパネルによって形成される前記建築物の前記壁部分が、複数の階層にわたる、請求項３９または４０に記載の設置方法。
【請求項４２】
前記構造用パネルは、略ね矩形状の角柱形であり、実質的に、補強されたオートクレーブ養生気泡コンクリート（ＡＡＣ）から形成される、請求項３９から４１のいずれか一項に記載の設置方法。
【請求項４３】
前記レール形成物は、一連の離間した取り外し可能な接続ブラケットによって取り付けられ、前記接続ブラケットのそれぞれは、使用時において、各々の支柱から前記レール形成物の対応する位置まで延伸する、請求項３９から４２のいずれか一項に記載の設置方法。
【請求項４４】
前記吊り上げ取り付け具は、一体成形吊り上げアイ付きのヘッドを有するアイボルトをさらに含み、前記アイボルトは、前記アイボルトの軸部が、前記構造用パネルの反対側にある相補的なナットと取り外し可能に係合するために前記吊り上げ孔を貫通して延伸するようになっている、請求項３９から４３のいずれか一項に記載の設置方法。
【請求項４５】
前記キャリッジアセンブリの前記パネル係合機構は、前記構造用パネルの前記吊り上げアイと取り外し可能に係合するように適応されたフック形成物で終端するワイヤロープ、ケーブルまたはチェーンを含む、請求項４４に記載の設置方法。
【請求項４６】
前記レール形成物は、水平方向に向けられた上側および下側フランジと、垂直方向に向けられた相互接続ウェブとを備えるＩ型梁の形態のものである、請求項３９に記載の設置方法。
【請求項４７】
前記キャリッジアセンブリは、前記Ｉ型梁の前記下側フランジと転動係合するように適応されたガイドホイールを組み込むレール横断機構を含む、請求項４６に記載の設置方法。
【請求項４８】
前記キャリッジアセンブリは、前記レール上で前記キャリッジを駆動させるように適応された第１の駆動機構と、前記係合機構を介して前記吊り下げられた構造用パネルを徐々に上昇および下降させるようになっている第２の駆動機構とを組み込んで動力化される、請求項４７に記載の設置方法。
【請求項４９】
前記第２の駆動機構は、ウインチに接続され、前記ウインチは、前記構造用パネルに接続されたワイヤロープを制御し、吊り上げ中に前記構造用パネルの高さを調整するようになっている、請求項４８に記載の設置方法。
【請求項５０】
複数の中間リンク要素を用いて、複数の前記構造用パネルを連なりとして取り外し可能に相互接続するステップと、
前記キャリッジの前記パネル係合機構および１つ目の前記構造用パネルの前記吊り上げ形成物によって、前記連なりの前記１つ目の構造用パネルを前記キャリッジアセンブリに接続するステップと、
前記キャリッジの駆動機構によって前記１つ目の構造用パネルを吊り上げ、前記連なりの後続の相互接続されたパネルを最下層のパネルの要求高さまで揚重するステップと、
前記最下層のパネルを位置合わせし、固定し、さらには取り外すステップと、
前記建築物の対応する壁部分または小部分を形成するように駆動機構を用いて、前記連なりの後続のパネルを連続して位置合わせし、固定し、さらには取り外すステップと、
をさらに含む、請求項３９に記載の設置方法。
【請求項５１】
請求項３９に記載の設置方法により建築物に対して組み立て式の構造用壁または床パネルを位置合わせすることを補助すべく、支持レール形成物で使用するために適応されたクレーンキャリッジアセンブリであって、選択された壁または床パネルと取り外し可能に係合することで、前記クレーンキャリッジアセンブリから前記パネルを吊り下げるようになっているパネル係合機構と、構築される壁部分または床部分の目的位置に隣接して前記吊り下げられたパネルを位置合わせするように前記レール形成物に沿って前記クレーンキャリッジアセンブリを移動可能なレール横断機構と、前記レール形成物上で前記キャリッジを移動させるようになっている第１の駆動機構と、使用時において、前記パネル係合機構を介して前記吊り下げられたパネルを徐々に上昇または下降させるように適応された第２の駆動機構と、遠隔操作者によって前記第１および第２の駆動機構を制御可能な遠隔制御機構とをさらに含むクレーンキャリッジアセンブリ。
【請求項５２】
組み立て式の支柱と、組み立て式の支持梁と、組み立て式の構造用パネルとを含み、キット関連の指示書に従って所定の構成で組み立てられると建築構造体を形成するように適応された相補的なコンポーネント部品の予めパッケージングされたキットであって、前記組立プロセスは、実質的に、請求項１から２１、２４から３２、３９から５０のいずれか一項に記載の方法に従ったものであるキット。
【請求項５３】
請求項３９に記載の方法での使用に適応された組み立て式の構造用パネルであって、前記構造用パネルは、建築物の支持フレーム要素間に構造床または構造壁を形成するために、複数の同様のパネルを連続に並べて支持されるようにさらになっていて、前記構造用パネルのそれぞれは、一方の面から反対の面まで前記構造用パネルを貫通して延伸する少なくとも１つの予め形成された吊り上げ孔を含み、前記吊り上げ孔により、吊り上げ形成物が前記構造用パネルを確実にクレーン吊り上げでき、前記吊り上げ孔のそれぞれによって複数のパネルを連なりとして連結して、前記連なりの前記複数のパネルを同時に吊り上げることができる組み立て式の構造用パネル。
【国際調査報告】
2015536391.tif 000027
2015536391.tif 000028
2015536391.tif 000029
2015536391.tif 000030
2015536391.tif 000031
2015536391.tif 000032
2015536391.tif 000033
2015536391.tif 000034